(57)【特許請求の範囲】
【請求項１】
無線通信システムにおいて端末がチャネル状態情報（Channel State Information、ＣＳＩ）報告（reporting）を行う方法であって、
基地局から、前記ＣＳＩ報告と関連するＣＳＩ設定情報（CSI configuration information）を受信するステップであって、前記ＣＳＩ設定情報に有される複数の報告設定のそれぞれは、一つ又は複数のリソースセット（resource set）と関連付けられて構成されるステップと、
前記基地局から、ｉ）前記複数の報告設定のうちの特定報告設定及びｉｉ）前記特定報告設定と関連付けられた特定リソースセット（resource set）を表す情報を受信するステップと、
前記特定報告設定及び前記特定リソースセットに基づいて前記ＣＳＩ報告を行うステップと、を有し、
前記特定報告設定と関連する少なくとも１つのリソースセットの各インデックスは、前記特定報告設定に基づいて番号が付け直される、ＣＳＩ報告方法。
【請求項２】
前記一つ又は複数のリソースセットは、対応する報告設定の時間領域上の動作モードに基づいて構成され、
前記時間領域上の動作モードは、周期的ＣＳＩ報告（periodic CSI reporting）、非周期的ＣＳＩ報告（aperiodic CSI reporting）、又はセミパーシステントＣＳＩ報告（semi-persistent CSI reporting）のうちのいずれか一つである、請求項１に記載のＣＳＩ報告方法。
【請求項３】
前記ＣＳＩ設定情報は、無線リソース制御（radio resource control）シグナリング（signaling）を通じて受信され、
前記特定報告設定及び前記特定リソースセットを表す情報は、ダウンリンク制御情報（downlink control information）を通じて受信される、請求項１に記載のＣＳＩ報告方法。
【請求項４】
前記特定報告設定と前記特定リソースセットとは、同時に（simultaneously）、一つのダウンリンク制御情報に基づいて指示される、請求項３に記載のＣＳＩ報告方法。
【請求項５】
前記一つ又は複数のリソースセットは、前記ＣＳＩ報告と関連する少なくとも一つのリソース設定に基づく、請求項１に記載のＣＳＩ報告方法。
【請求項６】
前記一つ又は複数のリソースセットは、各報告設定に対して設定された時間領域上の動作モードと各リソース設定に対して設定された時間領域上の動作モードとの間の組合せに基づいて設定される、請求項５に記載のＣＳＩ報告方法。
【請求項７】
前記基地局が前記ＣＳＩ報告のための非周期的リソース（aperiodic resource）をトリガ（triggering）するように設定された場合、前記一つ又は複数のリソースセットは、前記ＣＳＩ報告に関連する複数のリソース設定のうちの前記非周期的ＣＳＩ報告のために予め設定された少なくとも一つのリソース設定を有する、請求項２に記載のＣＳＩ報告方法。
【請求項８】
前記基地局が前記ＣＳＩ報告のためのセミパーシステントリソース（semi-persistent resource）を活性化（activation）又は不活性化（deactivation）するように設定された場合、前記一つ又は複数のリソースセットは、前記ＣＳＩ報告に関連する複数のリソース設定に有された、前記非周期的ＣＳＩ報告のための少なくとも一つのリソース設定及び前記セミパーシステントＣＳＩ報告のための少なくとも一つのリソース設定のうちの少なくとも一つを有する、請求項２に記載のＣＳＩ報告方法。
【請求項９】
無線通信システムにおいてチャネル状態情報（Channel State Information、ＣＳＩ）報告（reporting）を行う端末であって、
少なくとも一つの送受信部と、
少なくとも一つのプロセッサと、
前記少なくとも一つのプロセッサと機能的に接続された少なくとも一つのコンピュータメモリであって、前記メモリが前記少なくとも一つのプロセッサによって実行されたとき、動作を行う命令を記憶するよう構成されるメモリと、を有し、
前記動作は、
基地局から、前記ＣＳＩ報告と関連するＣＳＩ設定情報（CSI configuration information）を受信することであって、前記ＣＳＩ設定情報に有される複数の報告設定のそれぞれは、一つ又は複数のリソースセット（resource set）と関連付けられて構成されることと、
前記基地局から、ｉ）前記複数の報告設定のうちの特定報告設定及びｉｉ）前記特定報告設定と関連付けられた特定リソースセット（resource set）を表す情報を受信することと、
前記特定報告設定及び前記特定リソースセットに基づいて前記ＣＳＩ報告を行うことと、を有し、
前記特定報告設定と関連する少なくとも１つのリソースセットの各インデックスは、前記特定報告設定に基づいて番号が付け直される、端末。
【請求項１０】
前記ＣＳＩ設定情報は、無線リソース制御（radio resource control）シグナリング（signaling）を通じて受信され、
前記特定報告設定及び前記特定リソースセットを表す情報は、ダウンリンク制御情報（downlink control information）を通じて受信される、請求項９に記載の端末。
【請求項１１】
前記特定報告設定と前記特定リソースセットとは、同時に（simultaneously）、一つのダウンリンク制御情報に基づいて指示される、請求項１０に記載の端末。
【請求項１２】
前記一つ又は複数のリソースセットは、前記ＣＳＩ報告と関連する少なくとも一つのリソース設定に基づく、請求項９に記載の端末。
【請求項１３】
前記一つ又は複数のリソースセットは、対応する報告設定の時間領域上の動作モードに基づいて構成され、
前記時間領域上の動作モードは、周期的ＣＳＩ報告（periodic CSI reporting）、非周期的ＣＳＩ報告（aperiodic CSI reporting）、又はセミパーシステントＣＳＩ報告（semi-persistent CSI reporting）のうちのいずれか一つである、請求項９に記載の端末。
【発明の詳細な説明】
【技術分野】
【０００１】
本発明は、無線通信システムに関し、より詳細には、チャネル状態情報（Channel State Information、ＣＳＩ）を測定及び報告する方法、並びにこれをサポート（支援）する（supporting）装置に関する。
【背景技術】
【０００２】
移動通信システムは、ユーザの移動性（活動性）（mobility）を保証しながら音声サービスを提供するために開発された。しかしながら、移動通信システムは、音声だけでなく、データサービスまで領域を拡張し、現在、爆発的なトラフィックの増加によってリソース（資源）の不足現象が引き起こされ、ユーザがより高速のサービスを要求するので、より発展した移動通信システムが要求されている。
【０００３】
次世代の移動通信システムの要求条件は、概して（大きく）、爆発的なデータトラフィックへの対応（収容）（accommodation）、ユーザ当たり転送レート（率）の画期的な増加、大幅に増加した接続（連結）（connection）デバイスの個数への対応、非常に低いエンドツーエンド（端対端）遅延（End-to-End Latency）、高いエネルギ効率をサポートできなければならない。そのために、二重接続（連結性）（Dual Connectivity）、大規模多入力多出力（多重入出力）（Massive MIMO：Massive Multiple Input Multiple Output）、全二重（In-band Full Duplex）、非直交多元（多重）接続（ＮＯＭＡ：Non-Orthogonal Multiple Access）、超広帯域（Super wideband）のサポート、端末ネットワーキング（Device Networking）など、多様な技術が研究されている。
【発明の概要】
【発明が解決しようとする課題】
【０００４】
本明細書は、ＣＳＩフレームワーク（CSI framework）に基づいてＣＳＩを測定及び報告する方法及びそのための装置を提案する。
【０００５】
これと関連して、本明細書は、動的なシグナリング（dynamic signaling）を通じてリソース設定（resource setting）（及び／又はリソースセット（集合）（resource set）、リソース（resource））に対する選択指示（selection indication）及び／又は報告設定（reporting setting）に対する選択指示を行う方法を提案する。
【０００６】
具体的には、本明細書は、予め設定されたリソース設定（及び／又はリソースセット、リソース）に対してリソースグループ（resource group）を設定して、上記動的なシグナリングを行う方法を提案する。
【０００７】
本発明で達成しようとする技術的課題は、以上で言及した技術的課題に制限されず、言及しない更に他の技術的課題は、以下の記載から本発明が属する技術分野で通常の知識を有する者に明確に理解できるはずである。
【課題を解決するための手段】
【０００８】
本発明の実施例に係る（無線通信システムにおける）無線通信システムにおいて、端末がチャネル状態情報（Channel State Information、ＣＳＩ）を報告する（reporting）方法であって、当該方法は、基地局から、ＣＳＩ報告手続と関連するＣＳＩ設定情報（CSI configuration information）を受信する過程であって、当該ＣＳＩ設定情報は、一つ又は複数の測定設定（measurement setting）を示す情報、複数（多数）の（a plurality of）報告設定（reporting setting）を示す情報、及び複数のリソース設定（resource setting）を示す情報を有する過程と、基地局から、複数の報告設定のうちの少なくとも一つの報告設定を指示する報告情報を受信する過程と、基地局から、少なくとも一つの報告設定と関連する特定リソースグループに属する少なくとも一つのリソースセット（resource set）又は少なくとも一つのリソース（resource）を指示するリソース情報を受信する過程と、を有し、特定リソースグループは、複数のリソース設定内で、少なくとも一つの報告設定に対して設定された時間領域（time domain）上の動作モード（operation mode）によって設定される。
【０００９】
また、本発明の実施例に係る方法において、時間領域上の動作モードは、周期的ＣＳＩ報告（periodic CSI reporting）、非周期的ＣＳＩ報告（aperiodic CSI reporting）、又はセミパーシステント（半−持続的）ＣＳＩ報告（semi-persistent CSI reporting）のうちのいずれか一つに該当（対応）できる。
【００１０】
また、本発明の実施例に係る方法において、ＣＳＩ設定情報は、無線リソース制御（radio resource control）シグナリング（signaling）を通じて受信され、報告情報及びリソース情報は、ダウンリンク制御情報（downlink control information）又はメディアアクセス（中間接続）制御の制御要素（Medium Access Control-Control Element、ＭＡＣ  ＣＥ）のうちの少なくとも一つを通じて受信されることができる。
【００１１】
また、本発明の実施例に係る方法において、報告情報とリソース情報とは、同時に（simultaneously）、一つのダウンリンク制御情報を通じて受信されることができる。
【００１２】
また、本発明の実施例に係る方法において、特定リソースグループは、複数の報告設定と複数のリソース設定とを組み合せて設定されたリソースグループのうちの一つでありうる。
【００１３】
また、本発明の実施例に係る方法において、リソースグループは、各報告設定に対して設定された時間領域上の動作モードと各リソース設定に対して設定された時間領域上の動作モードとの間の組合せに基づいて設定されることができる。
【００１４】
また、本発明の実施例に係る方法において、特定リソースグループに属する少なくとも一つのリソースセットのインデックス（index）又は少なくとも一つのリソースのインデックスは、特定リソースグループ内で番号が付け直される（re-number）ことができる。
【００１５】
また、本発明の実施例に係る方法において、基地局がＣＳＩの報告のための非周期的リソース（aperiodic resource）をトリガ（triggering）するよう設定された場合、特定リソースグループは、複数のリソース設定のうちの非周期的ＣＳＩ報告のために予め設定された少なくとも一つのリソース設定を有することができる。
【００１６】
また、本発明の実施例に係る方法において、基地局がＣＳＩの報告のためのセミパーシステントリソース（semi-persistent resource）を活性化（activation）又は不活性化（deactivation）するように設定された場合、特定リソースグループは、複数のリソース設定に有された非周期的ＣＳＩ報告のための少なくとも一つのリソース設定又はセミパーシステントＣＳＩ報告のための少なくとも一つのリソース設定のうちの少なくとも一つを有することができる。
【００１７】
また、本発明の実施例に係る方法において、特定リソースグループは、複数のリソース設定の各々に対する属性パラメータを追加的に考慮して設定されることができる。
【００１８】
また、本発明の実施例に係る方法において、特定リソースグループが、報告設定とリソース設定との間のリンク（link）の用途を示すパラメータを追加的に考慮して設定される場合、リンクの用途を示すパラメータは、一つ又は複数の測定設定に有されることができる。
【００１９】
本発明の実施例に係る無線通信システムにおいてチャネル状態情報（Channel State Information、ＣＳＩ）を報告する（reporting）端末であって、端末は、無線信号を送受信するＲＦモジュール（Radio Frequency module）と、ＲＦモジュールと機能的に接続されているプロセッサと、を有し、プロセッサは、基地局から、ＣＳＩ報告手続と関連するＣＳＩ設定情報（CSI configuration information）を受信し、ＣＳＩ設定情報は、一つ又は複数の測定設定（measurement setting）を示す情報、複数の報告設定（reporting setting）を示す情報、及び複数のリソース設定（resource setting）を示す情報を有し、基地局から、複数の報告設定のうちの少なくとも一つの報告設定を指示する報告情報を受信し、基地局から、少なくとも一つの報告設定と関連する特定リソースグループに属する少なくとも一つのリソースセット（resource set）又は少なくとも一つのリソース（resource）を指示するリソース情報を受信する、ように制御し、特定リソースグループは、複数のリソース設定内で、少なくとも一つの報告設定に対して設定された時間領域（time domain）上の動作モード（operation mode）によって設定される。
【発明の効果】
【００２０】
本発明の実施例によれば、動的なシグナリング（dynamic signaling）を通じて参照信号（reference signal）を転送するか、又はチャネル測定若しくは干渉測定などを設定する場合に、制御シグナリングオーバーヘッド（control signaling overhead）を減らすことができる効果がある。
【００２１】
本発明で得ることができる効果は、以上で言及した効果に制限されず、言及しない更に他の効果は、以下の記載から本発明が属する技術分野で通常の知識を有する者に明確に理解できるはずである。
【図面の簡単な説明】
【００２２】
【図１】本明細書で提案する方法が適用されることができるＮＲの全体的なシステム構造の一例を示した図である。
【図２】本明細書で提案する方法が適用されることができる無線通信システムにおけるアップリンクフレームとダウンリンクフレームとの間の関係を示す図である。
【図３】本明細書で提案する方法が適用されることができる無線通信システムでサポートするリソースグリッド（resource grid）の一例を示す図である。
【図４】本明細書で提案する方法が適用されることができるアンテナポート及びヌメロロジ別のリソースグリッドの例を示す図である。
【図５】本明細書で提案する方法が適用されることができるセルフコンテインド（自己完結型）スロット（self-contained slot）構造の一例を示した図である。
【図６】本明細書で提案する方法が適用されることができるＴＸＲＵとアンテナ要素との接続方式の一例を示す図である。
【図７】本明細書で提案する方法が適用されることができるＴＸＲＵ別サービス領域の多様な一例を示す図である。
【図８】本明細書で提案する方法が適用されることができる二次元平面アレイ構造を用いるＭＩＭＯシステムの一例を示す図である。
【図９】本明細書で提案する方法が適用されることができるＮＲシステムで考慮されるＣＳＩフレームワーク（CSI framework）の一例を示す図である。
【図１０ａ】本明細書で提案する方法が適用されることができるリソースセット又はリソース選択方法の例を示す図である。
【図１０ｂ】本明細書で提案する方法が適用されることができるリソースセット又はリソース選択方法の例を示す図である。
【図１１】本明細書で提案する方法が適用されることができるＣＳＩを報告する手続における端末動作のフローチャート（順序図）である。
【図１２】本発明の一実施例に係る無線通信装置のブロック構成図を例示する図である。
【図１３】本発明の一実施例に係る通信装置のブロック構成図を例示する図である。
【発明を実施するための形態】
【００２３】
本発明に関する理解を助けるために詳細な説明の一部として含まれる添付図面は、本発明に関する実施例を提供し、詳細な説明と共に本発明の技術的特徴を説明する。
【００２４】
以下、本発明に従う好ましい実施例を添付した図面を参照して詳細に説明する。添付した図面と共に以下に開示される詳細な説明は、本発明の例示的な実施例を説明しようとするものであり、本発明が実施できる唯一の実施例を示そうとするものではない。以下の詳細な説明は、本発明の完全な理解を提供するために、具体的な詳細（細部）事項を含む。しかしながら、当業者は、本発明がこのような具体的な詳細事項を伴わなくても実施できることが分かる。
【００２５】
幾つかの場合、本発明の概念が曖昧になることを避けるために、公知の構造及び装置は、省略されるか、又は各構造及び装置の中核機能を中心としたブロック図形式で図示できる。
【００２６】
本明細書で、基地局は、端末と直接通信を行うネットワークの終端ノード（terminal node）としての意味を有する。本文書で基地局によって行われるものと説明された特定の動作は、場合によっては、基地局の上位ノード（upper node）によって行われてもよい。すなわち、基地局を含む複数のネットワークノード（network nodes）からなるネットワークにおいて端末との通信のために行われる多様な動作が、基地局又は基地局以外の他のネットワークノードによって行われ得ることは自明である。「基地局（ＢＳ：Base Station）」は、固定局（fixed station）、Ｎｏｄｅ  Ｂ、ｅＮＢ（evolved-NodeB）、ＢＴＳ（Base Transceiver System）、アクセスポイント（ＡＰ：Access Point）、ｇＮＢ（next generation NB、ｇｅｎｅｒａｌ  ＮＢ、ｇＮｏｄｅＢ）等の用語によって代替され得る。また、「端末（Terminal）」は、固定されるか移動性を有し得、ＵＥ（User Equipment）、ＭＳ（Mobile Station）、ＵＴ（User Terminal）、ＭＳＳ（Mobile Subscriber Station）、ＳＳ（Subscriber Station）、ＡＭＳ（Advanced Mobile Station）、ＷＴ（Wireless Terminal）、ＭＴＣ（Machine-Type Communication）装置、Ｍ２Ｍ（Machine-to-Machine）装置、Ｄ２Ｄ（Device-to-Device）装置等の用語に代替され得る。
【００２７】
以下、ダウンリンク（ＤＬ：DownLink）は、基地局から端末への通信を意味し、アップリンク（ＵＬ：UpLink）は、端末から基地局への通信を意味する。ダウンリンクにおいて、送信器は、基地局の一部であり、受信器は、端末の一部でありうる。アップリンクにおいて、送信器は、端末の一部であり、受信器は、基地局の一部でありうる。
【００２８】
以下の説明で使われる特定用語は、本発明の理解を助けるために提供されたものであり、このような特定用語の使用は、本発明の技術的思想を逸脱しない範囲で異なる形態に変更できる。
【００２９】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）、ＮＯＭＡ（Non-Orthogonal Multiple Access）などの多様な無線アクセス（接続）システムに利用できる。ＣＤＭＡは、ＵＴＲＡ（Universal Terrestrial Radio Access）やＣＤＭＡ２０００などの無線技術（radio technology）で具現できる。ＴＤＭＡは、ＧＳＭ（登録商標）（Global System for Mobile communications）／ＧＰＲＳ（General Packet Radio Service）／ＥＤＧＥ（Enhanced Data rates for GSM Evolution）などの無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Evolved UTRA）などの無線技術で具現できる。ＵＴＲＡは、ＵＭＴＳ（Universal Mobile Telecommunications System）の一部である。３ＧＰＰ（3rd Generation Partnership Project）  ＬＴＥ（Long Term Evolution）は、Ｅ−ＵＴＲＡを使用するＥ−ＵＭＴＳ（Evolved UMTS）の一部であって、ダウンリンクでＯＦＤＭＡを採用し、アップリンクでＳＣ−ＦＤＭＡを採用する。ＬＴＥ−Ａ（Advanced）は、３ＧＰＰ  ＬＴＥが進化したものである。
【００３０】
本発明の実施例は、無線アクセスシステムであるＩＥＥＥ  ８０２、３ＧＰＰ、及び３ＧＰＰ２のうち、少なくとも１つで開示された標準文書により裏付けられる。即ち、本発明の実施例のうち、本発明の技術的思想を明確に示すために説明しないステップ又は部分は、上記文書により裏付けられる。また、本文書で開示している全ての用語は、上記標準文書により説明できる。
【００３１】
説明を明確にするために、３ＧＰＰ  ＬＴＥ／ＬＴＥ−Ａ／ＮＲ（New RAT）を中心として記述（技術）する（described）が、本発明の技術的特徴がこれに制限されるものではない。
【００３２】
用語の定義
【００３３】
ｅＬＴＥ  ｅＮＢ：ｅＬＴＥ  ｅＮＢは、ＥＰＣ及びＮＧＣに対する接続をサポートするｅＮＢの発展したもの（進化）（evolution）である。
【００３４】
ｇＮＢ：ＮＧＣとの接続だけでなく、ＮＲをサポートするノード。
【００３５】
新たなＲＡＮ：ＮＲ又はＥ−ＵＴＲＡをサポートするか、又はＮＧＣと相互作用する無線アクセスネットワーク。
【００３６】
ネットワークスライス（network slice）：ネットワークスライスは、終端間の範囲と共に特定要求事項を要求する特定市場シナリオに対して最適化された解決法を提供するようにｏｐｅｒａｔｏｒにより定義されたネットワーク。
【００３７】
ネットワーク機能（network function）：ネットワーク機能は、よく定義された外部インターフェースとよく定義された機能的動作とを有するネットワークインフラ内における論理ノード。
【００３８】
ＮＧ−Ｃ：新たなＲＡＮとＮＧＣとの間のＮＧ２リファレンスポイント（reference point）に使われる制御プレーン（平面）（control plane）インターフェース。
【００３９】
ＮＧ−Ｕ：新たなＲＡＮとＮＧＣとの間のＮＧ３リファレンスポイント（reference point）に使われるユーザプレーン（user plane）インターフェース。
【００４０】
ノンスタンドアローン（非独立型）（Non-standalone）ＮＲ：ｇＮＢがＬＴＥ  ｅＮＢをＥＰＣに制御プレーン接続のためのアンカとして要求するか、又はｅＬＴＥ  ｅＮＢをＮＧＣに制御プレーン接続のためのアンカとして要求する配置構成。
【００４１】
ノンスタンドアローンＥ−ＵＴＲＡ：ｅＬＴＥ  ｅＮＢがＮＧＣに制御プレーン接続のためのアンカとしてｇＮＢを要求する配置構成。
【００４２】
ユーザプレーンゲートウェイ：ＮＧ−Ｕインターフェースの終端点。
【００４３】
システム一般
【００４４】
図１は、本明細書で提案する方法が適用されることができるＮＲの全体的なシステム構造の一例を示した図である。
【００４５】
図１を参照すると、ＮＧ−ＲＡＮは、ＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（User Equipment）に対する制御（コントロール）プレーン（ＲＲＣ）プロトコル終端を提供するｇＮＢで構成される。
【００４６】
上記ｇＮＢは、Ｘｎインターフェースを通じて相互に接続される。
【００４７】
また、上記ｇＮＢは、ＮＧインターフェースを通じてＮＧＣに接続される。
【００４８】
より具体的には、上記ｇＮＢは、Ｎ２インターフェースを通じてＡＭＦ（Access and Mobility Management Function）に、Ｎ３インターフェースを通じてＵＰＦ（User Plane Function）に接続される。
【００４９】
ＮＲ（New Rat）ヌメロロジ（Numerology）及びフレーム（frame）構造
【００５０】
ＮＲシステムでは、複数のヌメロロジ（numerology）がサポートされることができる。ここで、ヌメロロジは、サブキャリア間隔（subcarrier spacing）及びＣＰ（Cyclic Prefix）オーバーヘッドにより定義できる。この際、複数のサブキャリア間隔は、基本サブキャリア間隔を整数Ｎ（又は、μ）にスケーリング（scaling）することにより導出できる。また、非常に高い搬送波周波数で非常に低いサブキャリア間隔を利用しないと仮定されても、用いられるヌメロロジは、周波数帯域と独立して選択できる。
【００５１】
また、ＮＲシステムでは、複数のヌメロロジに従う多様なフレーム構造がサポートされることができる。
【００５２】
以下、ＮＲシステムで考慮されることができるＯＦＤＭ（Orthogonal Frequency Division Multiplexing）ヌメロロジ及びフレーム構造を説明する。
【００５３】
ＮＲシステムでサポートされる複数のＯＦＤＭヌメロロジは、表１のように定義できる。
【００５４】
＜表１＞
【表１】
0006924272.tif 000002
【００５５】
ＮＲシステムにおけるフレーム構造（frame structure）と関連して、時間領域の多様なフィールドのサイズは、
0006924272.tif 000003
の時間単位の倍数として表現される。ここで、
0006924272.tif 000004
であり、
0006924272.tif 000005
である。ダウンリンク（downlink）及びアップリンク（uplink）転送は、
0006924272.tif 000006
の区間を有する無線フレーム（radio frame）で構成される。ここで、無線フレームは、各々、
0006924272.tif 000007
の区間を有する１０個のサブフレーム（subframe）で構成される。この場合、アップリンクに対する１セットのフレーム及びダウンリンクに対する１セットのフレームが存在することができる。
【００５６】
図２は、本明細書で提案する方法が適用されることができる無線通信システムにおけるアップリンクフレームとダウンリンクフレームとの間の関係を示す。
【００５７】
図２に示すように、端末（User Equipment：ＵＥ）からのアップリンクフレーム番号ｉの転送は、該当端末における該当ダウンリンクフレームの開始より
0006924272.tif 000008
以前に始めなければならない。
【００５８】
ヌメロロジμに対して、スロット（slot）は、サブフレーム内で
0006924272.tif 000009
の増加する順に番号が付けられて、無線フレーム内で
0006924272.tif 000010
の増加する順に番号が付けられる。１つのスロットは、
0006924272.tif 000011
個の連続するＯＦＤＭシンボルで構成され、
0006924272.tif 000012
は、用いられるヌメロロジ及びスロット設定（slot configuration）によって決定される。サブフレームにおけるスロット
0006924272.tif 000013
の開始は、同一サブフレームにおけるＯＦＤＭシンボル
0006924272.tif 000014
の開始と時間的に整列される（揃えられる）（temporally aligned）。
【００５９】
全ての端末が同時に送信及び受信できるものではなく、これは、ダウンリンクスロット（downlink slot）又はアップリンクスロット（uplink slot）の全てのＯＦＤＭシンボルが利用されることができないことを意味する（not all OFDM symbols in a DL slot or an UL slot are available to be used）。
【００６０】
表２は、ヌメロロジμにおける一般（normal）ＣＰに対するスロット当たりのＯＦＤＭシンボルの数を示し、表３は、ヌメロロジμにおける拡張（extended）ＣＰに対するスロット当たりのＯＦＤＭシンボルの数を示す。
【００６１】
＜表２＞
【表２】
0006924272.tif 000015
【００６２】
＜表３＞
【表３】
0006924272.tif 000016
【００６３】
ＮＲ物理リソース（NR Physical Resource）
【００６４】
ＮＲシステムにおける物理リソース（physical resource）と関連して、アンテナポート（antenna port）、リソースグリッド（resource grid）、リソース要素（resource element）、リソースブロック（resource block）、キャリアパート（carrier part）などが考慮されることができる。
【００６５】
以下、ＮＲシステムで考慮されることができる上記物理リソースについて具体的に説明する。
【００６６】
まず、アンテナポートと関連して、アンテナポートは、アンテナポート上のシンボルが運搬されるチャネルが、同一のアンテナポート上の他のシンボルが運搬されるチャネルから推論できるように定義される。１つのアンテナポート上のシンボルが運搬されるチャネルの広範囲特性（large-scale property）が、他のアンテナポート上のシンボルが運搬されるチャネルから類推できる場合、２つのアンテナポートは、ＱＣ／ＱＣＬ（Quasi Co-located又はQuasi Co-Location）関係にあるということができる。ここで、上記広範囲特性は、遅延拡散（Delay spread）、ドップラ拡散（Doppler spread）、周波数シフト（Frequency shift）、平均受信電力（パワー）（Average received power）、受信タイミング（Received Timing）のうちの１つ又は複数を含む。
【００６７】
図３は、本明細書で提案する方法が適用されることができる無線通信システムにおいてサポートするリソースグリッド（resource grid）の一例を示す。
【００６８】
図３を参照すると、リソースグリッドが周波数領域上に
0006924272.tif 000017
個のサブキャリアで構成され、１つのサブフレームが１４・２μ個のＯＦＤＭシンボルで構成されることを例示的に記述するが、これに限定されるものではない。
【００６９】
ＮＲシステムにおいて、転送される信号（transmitted signal）は、
0006924272.tif 000018
個のサブキャリアから構成される１つ又は複数のリソースグリッド及び
0006924272.tif 000019
個のＯＦＤＭシンボルにより説明される。ここで、
0006924272.tif 000020
である。上記
0006924272.tif 000021
は、最大転送帯域幅を示し、これは、ヌメロロジ間だけでなく、アップリンクとダウンリンクとの間でも変わることができる。
【００７０】
この場合、図４に示すように、ヌメロロジμ及びアンテナポートｐ別に１つのリソースグリッドが設定される。
【００７１】
図４は、本明細書で提案する方法が適用されることができるアンテナポート及びヌメロロジ別のリソースグリッドの例を示す。
【００７２】
ヌメロロジμ及びアンテナポートｐに対するリソースグリッドの各要素は、リソース要素（resource element）と称され、インデックス対
0006924272.tif 000022
により一意に識別される。ここで、
0006924272.tif 000023
は、周波数領域上のインデックスであり、
0006924272.tif 000024
は、サブフレーム内におけるシンボルの位置を示す。スロットにおいてリソース要素を示すときは、インデックス対
0006924272.tif 000025
が用いられる。ここで、
0006924272.tif 000026
である。
【００７３】
ヌメロロジμ及びアンテナポートｐに対するリソース要素
0006924272.tif 000027
は、複素値（complex value）
0006924272.tif 000028
に該当する。混同（confusion）される危険がない場合、又は、特定のアンテナポート又はヌメロロジが特定されない場合は、インデックスｐ及びμは、ドロップ（drop）されることができ、その結果、複素値
0006924272.tif 000029
又は
0006924272.tif 000030
になることができる。
【００７４】
また、物理リソースブロック（physical resource block）は、周波数領域上の
0006924272.tif 000031
個の連続するサブキャリアとして定義される。周波数領域上で、物理リソースブロックは、０から
0006924272.tif 000032
までの番号が付けられる。このとき、周波数領域上の物理リソースブロック番号（physical resource block number）
0006924272.tif 000033
とリソース要素
0006924272.tif 000034
との間の関係は、数式１のように与えられる。
【００７５】
＜数式１＞
【数１】
0006924272.tif 000035
【００７６】
また、キャリアパート（carrier part）に関して、端末は、リソースグリッドのサブセット（部分集合）（subset）のみを利用して受信又は転送するように設定されることができる。このとき、端末が受信又は転送するように設定されたリソースブロックのセット（集合）（set）は、周波数領域上で０から
0006924272.tif 000036
までの番号が付けられる。
【００７７】
ビーム管理（Beam management）
【００７８】
ＮＲにおけるビーム管理は、次のように定義される。
【００７９】
ビーム管理（Beam management）：ＤＬ及びＵＬの送受信に使用されることができるＴＲＰ及び／又はＵＥのビームのセット（set）を獲得して維持するためのＬ１／Ｌ２手続のセットであって、少なくとも次の事項を含む。
【００８０】
−  ビーム決定：ＴＲＰ又はＵＥが自体の送信／受信ビームを選択する動作。
【００８１】
−  ビーム測定：ＴＲＰ又はＵＥが受信したビームフォーミング（形成）された（beamformed）信号の特性を測定する動作。
【００８２】
−  ビーム報告：ＵＥがビーム測定に基づいて、ビームフォーミングされた信号の情報を報告する動作。
【００８３】
−  ビームスイープ（Beam sweeping）：予め決定された方式で時間間隔の間に送信及び／又は受信されたビームを用いて空間領域をカバーする動作。
【００８４】
また、ＴＲＰ及びＵＥにおけるＴｘ／Ｒｘビームの対応（correspondence）は、次のように定義される。
【００８５】
−  ＴＲＰにおけるＴｘ／Ｒｘビームの対応は、次の少なくとも一つが満たされると維持される。
【００８６】
−  ＴＲＰは、ＴＲＰの一つ又は複数の送信ビームに対するＵＥのダウンリンク測定に基づいて、アップリンク受信のためのＴＲＰ受信ビームを決定し得る。
【００８７】
−  ＴＲＰは、ＴＲＰの一つ又は複数のＲｘビームに対するＴＲＰのアップリンクの測定に基づいて、ダウンリンク送信に対するＴＲＰ  Ｔｘビームを決定し得る。
【００８８】
−  ＵＥにおけるＴｘ／Ｒｘビームの対応は、次の少なくとも一つが満たされると維持される。
【００８９】
−  ＵＥは、ＵＥの一つ又は複数のＲｘビームに対するＵＥのダウンリンクの測定に基づいて、アップリンク送信のためのＵＥ  Ｔｘビームを決定し得る。
【００９０】
−  ＵＥは、一つ又は複数のＴｘビームに対するアップリンクの測定に基づいたＴＲＰの指示に基づいて、ダウンリンク受信のためのＵＥ受信ビームを決定し得る。
【００９１】
−  ＴＲＰに対してＵＥビームの対応に関する情報の能力指示がサポートされる。
【００９２】
次のようなＤＬにおけるＬ１／Ｌ２のビーム管理手続が、一つ又は複数のＴＲＰ内でサポートされる。
【００９３】
Ｐ−１：ＴＲＰ  Ｔｘビーム／ＵＥ  Ｒｘビームの選択をサポートするために、異なるＴＲＰ  Ｔｘビームに対するＵＥの測定を可能にするために使用される。
【００９４】
−  ＴＲＰにおけるビームフォーミングの場合、一般に互いに異なるビームセットでイントラ（intra）／インター（inter）−ＴＲＰ  Ｔｘビームスイープ（sweep）を含む。ＵＥにおけるビームフォーミングのために、それは、通常異なるビームのセットからのＵＥ  Ｒｘビームスイープを含む。
【００９５】
Ｐ−２：異なるＴＲＰ  Ｔｘビームに対するＵＥの測定が、インター／イントラＴＲＰ  Ｔｘビームを変更するために使用される。
【００９６】
Ｐ−３：ＵＥがビームフォーミングを使用する場合に、同一のＴＲＰ  Ｔｘビームに対するＵＥの測定が、ＵＥ  Ｒｘビームを変更するのに使用される。
【００９７】
少なくともネットワークによってトリガされた非周期的報告（aperiodic reporting）は、Ｐ−１、Ｐ−２、及びＰ−３に関する動作でサポートされる。
【００９８】
ビーム管理のためのＲＳ（少なくともＣＳＩ−ＲＳ）に基づいたＵＥの測定は、Ｋ（ビームの総数）個のビームで構成され、ＵＥは、選択されたＮ個のＴｘビームの測定結果を報告する。ここで、Ｎは、必ずしも固定された数ではない。移動性の目的のためのＲＳに基づいた手続は、排除されない。報告情報は、少なくともＮ＜Ｋである場合、Ｎ個のビームに対する測定量及びＮ個のＤＬ送信ビームを示す情報を含む。特に、ＵＥがＫ’＞１ノンゼロパワー（ＮＺＰ）ＣＳＩ−ＲＳリソースに対して（Ｋ’＞１のノンゼロパワー（ＮＺＰ）ＣＳＩ−ＲＳリソースを有するＵＥに関して）（for UEs with K' > 1 non-zero-power (NZP) CSI-RS resources）、ＵＥは、Ｎ’個のＣＲＩ（ＣＳＩ−ＲＳリソースの指示子）を報告し得る。
【００９９】
ＵＥは、ビーム管理のために次のような上位層のパラメータ（higher layer parameter）で設定され得る。
【０１００】
−  Ｎ≧１報告設定（setting）、Ｍ≧１リソース設定
【０１０１】
−  報告設定とリソース設定との間のリンクは、合意されたＣＳＩ測定設定で設定される。
【０１０２】
−  ＣＳＩ−ＲＳベースのＰ−１及びＰ−２は、リソース及び報告設定でサポートされる。
【０１０３】
−  Ｐ−３は、報告設定の有無に関係なくサポートされ得る。
【０１０４】
−  少なくとも以下の事項を含む報告設定（reporting setting）
【０１０５】
−  選択されたビームを示す情報
【０１０６】
−  Ｌ１測定報告（L1 measurement reporting）
【０１０７】
−  時間領域の動作（例えば、非周期的（aperiodic）動作、周期的（periodic）動作、セミパーシステント（semi-persistent）動作）
【０１０８】
−  様々な周波数粒度（細分性）（frequency granularity）がサポートされる場合の周波数粒度
【０１０９】
−  少なくとも以下の事項を含むリソース設定（resource setting）
【０１１０】
−  時間領域の動作（例えば、非周期的動作、周期的動作、セミパーシステント動作）
【０１１１】
−  ＲＳタイプ（類型）（type）：少なくともＮＺＰ  ＣＳＩ−ＲＳ
【０１１２】
−  数なくとも一つのＣＳＩ−ＲＳリソースのセット。各ＣＳＩ−ＲＳリソースのセットは、Ｋ≧１  ＣＳＩ−ＲＳリソースを含む（Ｋ個のＣＳＩ−ＲＳリソースの一部のパラメータは、同一であってもよい。例えば、ポートの番号、時間領域の動作、密度、及び周期）
【０１１３】
また、ＮＲは、Ｌ＞１であるＬ（個の）グループを考慮し、次のビーム報告をサポートする。
【０１１４】
−  最小限のグループ（minimal groups）を示す情報
【０１１５】
−  Ｎ１ビームに対する測定量（measurement quantity）（Ｌ１  ＲＳＲＰ及びＣＳＩ報告サポート（ＣＳＩ−ＲＳがＣＳＩ獲得のための場合））
【０１１６】
−  適用可能な場合、Ｎ１個のＤＬ送信ビームを示す情報
【０１１７】
前述したようなグループベースのビーム報告は、ＵＥ単位で構成し得る。また、上記グループベースのビーム報告は、ＵＥ単位でターンオフ（turn-off）され得る（例えば、Ｌ＝１又はＮｌ＝１の場合）。
【０１１８】
ＮＲは、ＵＥがビーム失敗から復旧するメカニズムをトリガできることをサポートする。
【０１１９】
ビーム失敗（beam failure）のイベントは、関連する制御チャネルのビームペアリンク（beam pair link）の品質が充分に低いときに発生する（例えば、閾値（臨界値）（threshold）との比較、関連するタイマのタイムアウト）。ビーム失敗（又は障害）から復旧するメカニズムは、ビーム障害が発生するときにトリガされる。
【０１２０】
ネットワークは、復旧の目的でＵＬ信号を送信するためのリソースをＵＥに明示的に構成する。リソースの構成は、基地局が全体又は一部の方向から（例えば、random access region）リッスン（聴取）（listening）するところでサポートされる。
【０１２１】
ビーム障害を報告するＵＬ送信／リソースは、ＰＲＡＣＨと同一の時間インスタンス（instance）（ＰＲＡＣＨリソースと直交するリソース）に、又はＰＲＡＣＨと異なる時間インスタンス（ＵＥに対して構成可能）に位置し得る。ＤＬ信号の送信は、ＵＥが新たな潜在的なビームを識別するためにビームをモニタリングすることができるようにサポートされる。
【０１２２】
ＮＲは、ビーム関連の指示（beam-related indication）に関係なく、ビーム管理をサポートする。ビーム関連の指示が提供される場合、ＣＳＩ−ＲＳベースの測定のために使用されたＵＥ側のビームフォーミング／受信手続に関する情報は、ＱＣＬを介してＵＥに指示され得る。ＮＲでサポートするＱＣＬパラメータとしては、ＬＴＥシステムで使用された遅延（delay）、ドップラ（Doppler）、平均利得（average gain）等に関するパラメータだけでなく、受信端におけるビームフォーミングのための空間パラメータが追加される予定であり、端末の受信ビームフォーミングの観点から、到来（到達）角（angle of arrival）関連のパラメータ及び／又は基地局の受信ビームフォーミングの観点から、放射（発信）角（angle of departure）関連のパラメータが含まれ得る。ＮＲは、制御チャネル及び該当データチャネルの送信において同一である又は異なるビームを使用することをサポートする。
【０１２３】
ビームペアリンクブロッキング（beam pair link blocking）に対するロバスト（頑健）性（robustness）をサポートするＮＲ−ＰＤＣＣＨ送信のために、ＵＥは、同時にＭ個のビームペアリンク上でＮＲ−ＰＤＣＣＨをモニタリングするように構成され得る。ここで、Ｍ≧１及びＭの最大値は、少なくともＵＥの能力に依存し得る。
【０１２４】
ＵＥは、異なるＮＲ−ＰＤＣＣＨ  ＯＦＤＭシンボルで、異なるビームペアリンク上のＮＲ−ＰＤＣＣＨをモニタリングするように構成され得る。複数のビームペアリンク上でＮＲ−ＰＤＣＣＨをモニタリングするためのＵＥ  Ｒｘビームの設定に関するパラメータは、上位層のシグナリング又はＭＡＣ  ＣＥによって構成されるか、及び／又はサーチスペース（探索空間）（search space）の設計で考慮される。
【０１２５】
少なくとも、ＮＲは、ＤＬ  ＲＳアンテナポートとＤＬ制御チャネルの復調のためのＤＬ  ＲＳアンテナポートとの間の空間ＱＣＬ仮定の指示をサポートする。ＮＲ−ＰＤＣＣＨ（即ち、ＮＲ−ＰＤＣＣＨをモニタリングする構成方法）に対するビーム指示のための候補のシグナリング方法は、ＭＡＣ  ＣＥシグナリング、ＲＲＣシグナリング、ＤＣＩシグナリング、スペックトランスペアレント（specification transparent）及び／若しくは暗示的方法、並びにこれらのシグナリング方法の組み合わせである。
【０１２６】
ユニキャストのＤＬデータチャネルの受信のために、ＮＲは、ＤＬ  ＲＳアンテナポートとＤＬデータチャネルのＤＭＲＳアンテナポートとの間の空間ＱＣＬ仮定の指示をサポートする。
【０１２７】
ＲＳアンテナポートを示す情報は、ＤＣＩ（ダウンリンクの許可）を介して表される。また、この情報は、ＤＭＲＳアンテナポートとＱＣＬされているＲＳアンテナポートを示す。ＤＬデータチャネルに対するＤＭＲＳアンテナポートの異なるセットは、ＲＳアンテナポートの異なるセット及びＱＣＬとして示し得る。
【０１２８】
以下、本明細書で提案する方法を具体的に説明するに先だって、本明細書で提案する方法と直／間接的に関連する内容について、先ず簡略に見ることとする。
【０１２９】
５Ｇ、Ｎｅｗ  Ｒａｔ（ＮＲ）等の次世代通信では、より多くの通信機器がより大きな通信容量を要求するようになるにつれて、既存の無線アクセス技術（Radio Access Technology、ＲＡＴ）に比べて、向上したモバイルブロードバンド（mobile broadband）通信に対する必要性が台頭している。
【０１３０】
また、多数の機器及び物を接続し、いつでもどこでも多様なサービスを提供するｍａｓｓｉｖｅ（大規模）ＭＴＣ（Machine Type Communications）もやはり、次世代通信で考慮される主な論点（イシュー）（issues）のうちの一つである。
【０１３１】
のみならず、信頼性（reliability）及び遅延（latency）にセンシティブ（敏感）な（sensitive）サービス及び／又は端末（ＵＥ）を考慮した通信システムのデザイン又は構造が議論されている。
【０１３２】
このように、ｅｎｈａｎｃｅｄ  ｍｏｂｉｌｅ  ｂｒｏａｄｂａｎｄ（ｅＭＢＢ）ｃｏｍｍｕｎｉｃａｔｉｏｎ、ｍａｓｓｉｖｅ  ＭＴＣ（ｍＭＴＣ）、ＵＲＬＬＣ（Ultra-Reliable and Low Latency Communication）等を考慮した次世代無線アクセス技術（Radio Access Technology、ＲＡＴ）の導入が現在議論されており、本明細書では、便宜上、該当技術を「ｎｅｗ  ＲＡＴ（ＮＲ）」と称することとする。
【０１３３】
セルフコンテインド（自己完結型）（Self-contained）スロット構造
【０１３４】
ＴＤＤシステムにおけるデータ送信のレイテンシ（latency）を最小にするために、５世代のＮｅｗ  ＲＡＴ（ＮＲ）では、図５のようなセルフコンテインドスロット構造（self-contained slot structure）を考慮している。
【０１３５】
即ち、図５は、本明細書で提案する方法が適用されることができるセルフコンテインドスロット構造の一例を示した図である。
【０１３６】
図５において、斜線領域５１０は、ダウンリンクコントロール（downlink control）領域を示し、黒色部分５２０は、アップリンクコントロール（uplink control）領域を示す。
【０１３７】
何ら表示のない部分５３０は、ダウンリンクデータの送信のために用いられてもよく、アップリンクデータの送信のために用いられてもよい。
【０１３８】
このような構造の特徴は、１つのスロット内でＤＬ送信とＵＬ送信とが順次行われ、１つのスロット内で、ＤＬデータを送り、ＵＬ  Ａｃｋ／Ｎａｃｋも送受信できる。
【０１３９】
このようなスロットを「セルフコンテインドスロット（self-contained slot）」と定義することができる。
【０１４０】
即ち、このようなスロット構造を通じて、基地局は、データ送信のエラー発生の際、端末へデータを再送信するまでに掛かる時間を減らすことになり、これによって、最終的なデータ伝達のレイテンシを最小にすることができる。
【０１４１】
このようなセルフコンテインドスロット構造において、基地局及び端末は、送信モードから受信モードに切り替える過程又は受信モードから送信モードへ切り替える過程のための時間間隔（time gap）が必要である。
【０１４２】
このため、該当スロット構造において、ＤＬからＵＬへ切り替えられる時点の一部ＯＦＤＭシンボルがガード（保護）区間（Guard Period、ＧＰ）に設定される。
【０１４３】
アナログビームフォーミング（Analog beamforming）
【０１４４】
ミリ波（Millimeter Wave、ｍｍＷ）では、波長が短くなり、同じ面積に多数のアンテナ要素（element）の設置が可能になる。
【０１４５】
即ち、３０ＧＨｚ帯域における波長は、１ｃｍであって、４×４ｃｍのパネル（panel）に０．５ラムダ（lambda）（波長）間隔で二次元（2-dimension）配列の形態で合計６４（８×８）個のアンテナ要素の設置が可能である。
【０１４６】
したがって、ｍｍＷでは、多数のアンテナ要素を用いて、ビームフォーミング（beamforming）（ＢＦ）の利得を高めて、カバレッジを増加させたり、スループット（throughput）を高めようとする。
【０１４７】
この場合、アンテナ要素別に送信電力（パワー）（transmission power）及び位相調節が可能なように、ＴＸＲＵ（Transceiver Unit）を有すると、周波数リソース別に独立したビームフォーミングが可能である。
【０１４８】
しかしながら、約１００個のアンテナ要素の全てにＴＸＲＵを設置するには、価格面において実効性が低いという問題を有することになる。
【０１４９】
したがって、一つのＴＸＲＵに多数のアンテナ要素をマッピングし、アナログ位相シフタ（analog phase shifter）でビーム（beam）の方向を調節する方式が考慮されている。
【０１５０】
このようなアナログビームフォーミング方式は、全帯域において一つのビーム方向のみを作ることができ、周波数選択的ビームフォーミングを行うことができないという短所を有する。
【０１５１】
このような理由により、デジタルＢＦとアナログＢＦとの中間形態で、Ｑ個のアンテナ要素よりも少数であるＢ個のＴＸＲＵを有するハイブリッドＢＦ（hybrid BF（ＨＢＦ））を考慮し得る。
【０１５２】
ＨＢＦは、Ｂ個のＴＸＲＵとＱ個のアンテナ要素との接続方式によって差はあるが、同時に送信することができるビームの方向は、Ｂ個以下に制限されることになる。
【０１５３】
図６は、本明細書で提案する方法が適用されることができるＴＸＲＵとアンテナ要素との接続方式の一例を示す。
【０１５４】
ここで、ＴＸＲＵの仮想化（virtualization）モデルは、ＴＸＲＵの出力信号とアンテナ要素の出力信号との関係を示す。
【０１５５】
図６の（ａ）は、ＴＸＲＵがサブアレイ（sub-array）に接続された方式の一例を示す。
【０１５６】
図６の（ａ）を参照すると、アンテナ要素は、一つのＴＸＲＵのみに接続される。図６の（ａ）と異なり、図６の（ｂ）は、ＴＸＲＵが全てのアンテナ要素に接続された方式を示す。
【０１５７】
即ち、図６の（ｂ）の場合、アンテナ要素は、全てのＴＸＲＵに接続される。
【０１５８】
図６において、Ｗは、アナログ位相シフタによって掛けられる位相ベクトルを示す。
【０１５９】
即ち、Ｗによってアナログビームフォーミングの方向が決定される。ここで、ＣＳＩ−ＲＳアンテナポートとＴＸＲＵとのマッピングは、１対１（1-to-1）又は１対多（1-to-many）であり得る。
【０１６０】
ＣＳＩフィードバック（CSI feedback）
【０１６１】
３ＧＰＰ  ＬＴＥ（−Ａ）システムでは、ユーザ機器（ＵＥ）がチャネル状態情報（ＣＳＩ）を基地局（ＢＳ）に報告するように定義されている。
【０１６２】
ここで、チャネル状態情報（ＣＳＩ）とは、ＵＥとアンテナポートとの間で形成される無線チャネル（或いは「リンク」ともいう）の品質を示せる情報を称する。
【０１６３】
例えば、ランク指示子（Rank Indicator、ＲＩ）、プリコーディング行列指示子（Precoding Matrix Indicator、ＰＭＩ）、チャネル品質指示子（Channel Quality Indicator、ＣＱＩ）等がこれに該当する。
【０１６４】
ここで、ＲＩは、チャネルのランク（rank）情報を示し、これは、ＵＥが同一の時間−周波数リソースを介して受信するストリームの個数を意味する。この値は、チャネルの長い周期のフェージング（fading）によって（従属されて）決定されるので、ＰＭＩ、ＣＱＩよりも通常さらに長い周期をもってＵＥからＢＳにフィードバックされる。
【０１６５】
ＰＭＩは、チャネルの空間特性を反映した値であって、ＳＩＮＲ等のメトリック（metric）を基準に、ＵＥが好むプリコーディングインデックスを示す。
【０１６６】
ＣＱＩは、チャネルの強度を示す値であって、一般に基地局（ＢＳ）がＰＭＩを用いたときに得られる受信のＳＩＮＲを意味する。
【０１６７】
３ＧＰＰ  ＬＴＥ（−Ａ）システムにおいて、基地局は、複数のＣＳＩプロセスをＵＥに設定し、各プロセスに対するＣＳＩの報告を受けることができる。
【０１６８】
ここで、ＣＳＩプロセスは、基地局からの信号品質の特定のためのＣＳＩ−ＲＳとの干渉測定のためのＣＳＩ干渉測定（CSI-Interference measurement、ＣＳＩ−ＩＭ）リソースで構成される。
【０１６９】
参照信号の仮想化（RS virtualization）
【０１７０】
ｍｍＷでアナログビームフォーミングにより一つの時点で一つのアナログビームの方向のみにＰＤＳＣＨの送信が可能である。
【０１７１】
よって、基地局は、特定方向にある一部の少数のＵＥにのみデータを送信することになる。
【０１７２】
したがって、必要に応じて、アンテナポート別にアナログビームの方向を異なって設定し、様々なアナログビームの方向にある複数のＵＥに同時にデータ送信を行うことができるようにする。
【０１７３】
図７は、本明細書で提案する方法が適用されることができるＴＸＲＵ別サービス領域の多様な一例を示す。
【０１７４】
図７の場合、２５６個のアンテナ要素を４等分し、４個のサブアレイ（sub-array）を形成し、各サブアレイ（sub-array）にＴＸＲＵを接続した構造に関するもので、これを例に挙げて説明する。
【０１７５】
各サブアレイが二次元（dimension）配列の形態で合計６４（８×８）のアンテナ要素で構成されると、特定のアナログビームフォーミングにより１５度の水平角領域と１５度の垂直角領域に該当する地域をカバーすることができることになる。
【０１７６】
即ち、基地局がサービスすべき地域を複数の領域に分け、一度に一つずつサービスを提供することになる。
【０１７７】
以下の説明で、ＣＳＩ−ＲＳのアンテナポートとＴＸＲＵとは、１対１（1-to-1）でマッピングされたと仮定する。
【０１７８】
したがって、アンテナポートとＴＸＲＵとは、以下の説明で同じ意味を有するものと解釈され得る。
【０１７９】
図７の（ａ）のように、全てのＴＸＲＵ（アンテナポート、サブアレイ）が同じアナログビームフォーミングの方向を有すると、より高い解像度（resolution）を有するデジタルビームを形成し、該当地域のスループット（throughput）を増加させることができる。
【０１８０】
また、該当地域における送信データのランク（rank）を増加させて、該当地域のスループットを増加させることができる。
【０１８１】
また、図７の（ｂ）のように、各ＴＸＲＵ（アンテナポート、サブアレイ）が異なるアナログビームフォーミングの方向を有すると、より広い領域に分布されたＵＥに、該当サブフレーム（ＳＦ）で同時にデータを送信できる。
【０１８２】
図７の（ｂ）に示されるように、４個のアンテナポートのうちの２個は、領域１にあるＵＥ１へのＰＤＳＣＨ送信のために使用され、残りの２個は、領域２にあるＵＥ２へのＰＤＳＣＨ送信のために使用されるようにする。
【０１８３】
また、図７の（ｂ）は、ＵＥ１に送信されるＰＤＳＣＨ１とＵＥ２に送信されるＰＤＳＣＨ２とがＳＤＭ（Spatial Division Multiplexing）された例を示す。
【０１８４】
これと異なり、図７の（ｃ）のように、ＵＥ１に送信されるＰＤＳＣＨ１とＵＥ２に送信されるＰＤＳＣＨ２とがＦＤＭ（Frequency Division Multiplexing）されて送信されることもある。
【０１８５】
全てのアンテナポートを使用して一つの領域にサービスを提供する方式と、アンテナポートを分けて様々な領域に同時にサービスを提供する方式と、のうち、セルスループット（cell throughput）を最大にするために、ＵＥにサービスを提供するランク及びＭＣＳに応じて、好ましい方式が変わり得る。
【０１８６】
また、各ＵＥに送信するデータの量に応じても、好ましい方式が変わることになる。
【０１８７】
基地局は、全てのアンテナポートを使用し、一つの領域にサービスを提供するときに得られるセルスループット又はスケジューリングメトリック（scheduling metric）を計算し、アンテナポートを分けて二つの領域にサービスを提供するときに得られるセルスループット又はスケジューリングメトリックを計算する。
【０１８８】
基地局は、各方式を通じて得られるセルスループット又はスケジューリングメトリックを比較し、最終的な送信方式を選択する。
【０１８９】
その結果、ＳＦ×ＳＦでＰＤＳＣＨ送信に参加するアンテナポートの個数が変動することになる。
【０１９０】
基地局がアンテナポートの個数によるＰＤＳＣＨの送信ＭＣＳを計算し、スケジューリングアルゴリズムに反映させるために、これに好適なＵＥからのＣＳＩフィードバックが要求される。
【０１９１】
ビーム参照信号（Beam Reference Signal、ＢＲＳ）
【０１９２】
ビーム参照信号（ＢＲＳ）は、一つ又は複数のアンテナポート（ｐ＝｛０、１、．．．、７｝上で送信される。
【０１９３】
ＢＲＳのシーケンスの生成に関して、参照信号のシーケンスｒｌ（ｍ）は、数式２によって定義される。
【０１９４】
＜数式２＞
【数２】
0006924272.tif 000037
【０１９５】
数式２において、ｌは０乃至１３で、ＯＦＤＭシンボルの番号を表す。また、ｃ（ｉ）は、擬似ランダムシーケンス（pseudo-random sequence）を意味し、擬似ランダムシーケンスの生成器は、各ＯＦＤＭシンボルの開始において数式３で初期化され得る。
【０１９６】
＜数式３＞
【数３】
0006924272.tif 000038
【０１９７】
ビーム補正（調整）参照信号（beam refinement reference signal）
【０１９８】
また、ビーム補正参照信号（beam refinement reference signal）に関して、ビーム補正参照信号は、８個のアンテナポート（ｐ＝６００乃至６０７）までのアンテナポートを介して送信される。
【０１９９】
ビーム補正参照信号のシーケンスの生成に関して、参照信号ｒｌ，ｎｓ（ｍ）は、数式４のように生成される。
【０２００】
＜数式４＞
【数４】
0006924272.tif 000039
【０２０１】
数式４において、ｎｓは、無線フレーム内のスロットの番号を表し、ｌは、スロット内のＯＦＤＭシンボルの番号を表す。ｃ（ｎ）は、擬似ランダムシーケンスを意味し、擬似ランダムシーケンスの生成器は、各ＯＦＤＭシンボルの開始において数式５で初期化される。
【０２０２】
＜数式５＞
【数５】
0006924272.tif 000040
【０２０３】
数式５において、
0006924272.tif 000041
は、ＲＲＣシグナリングを介して端末に設定される。
【０２０４】
ＤＬ位相雑音補償参照信号（DL Phase noise compensation reference signal）
【０２０５】
ｘＰＤＳＣＨ（即ち、ＮＲシステムでサポートするＰＤＳＣＨ）と関連する位相雑音補償参照信号は、ＤＣＩフォーマットにおけるシグナリングを介して、アンテナポートｐ＝６０及び／又はｐ＝６１で送信される。また、位相雑音補償参照信号は、該当アンテナポートと関連するｘＰＤＳＣＨ送信に対してのみ存在（present）し及び／又は有効（valid）であり、該当ｓＰＤＳＣＨがマッピングされた物理リソースブロック及びシンボルでのみ送信される。また、位相雑音補償参照信号は、ｘＰＤＳＣＨの割り当てに該当する全てのシンボルにおいて同一である。
【０２０６】
位相雑音補償参照信号のシーケンスの生成に関して、参照信号のシーケンスｒ（ｍ）は、数式６によって定義される。
【０２０７】
＜数式６＞
【数６】
0006924272.tif 000042
【０２０８】
数式６において、ｃ（ｉ）は、擬似ランダムシーケンスを意味し、擬似ランダムシーケンスの生成器は、各サブフレームの開始において数式７で初期化される。
【０２０９】
＜数式７＞
【数７】
0006924272.tif 000043
【０２１０】
数式７において、ｘＰＤＳＣＨ送信の場合、ｎＳＣＩＤは、ｘＰＤＳＣＨ送信と関連するＤＣＩフォーマットによって与えられ、特別な場合でなければ、０に設定される。
【０２１１】
また、３Ｄ−ＭＩＭＯ（3-Dimension Multiple-Input Multiple-Output）又はＦＤ−ＭＩＭＯ（Full-Dimension Multiple-Input Multiple-Output）技術の場合、二次元平面アレイ構造（2-dimensional planar array structure）を有するアクティブアンテナシステム（Active Antenna System、ＡＡＳ）が利用され得る。
【０２１２】
図８は、本明細書で提案する方法が適用されることができる二次元平面アレイ構造を用いるＭＩＭＯシステムの一例を示す。
【０２１３】
二次元平面アレイ構造を通じて、多数のアンテナ要素（antenna element）が可能な基地局形態の要素内でパッキング（packing）されるだけでなく、三次元の空間における適応的なビームフォーミング（adaptive electronic）能力を提供することもできる。
【０２１４】
ＮＲシステムのＭＩＭＯの設計と関連して、基地局と端末との間のチャネル状態測定及び報告のためのＣＳＩフレームワーク（CSI framework）が考慮されている。
【０２１５】
本明細書は、以下で説明されるＣＳＩフレームワーク（又はＣＳＩ獲得フレームワーク）に基づいたＣＳＩ報告方法を提案する。まず、ＮＲシステムで考慮されるＣＳＩフレームワークについて具体的に見る。
【０２１６】
ＣＳＩフレームワークは、レガシＬＴＥシステムでＣＳＩ関連手続がＣＳＩプロセス（CSI process）の形態のみで規定されているのとは異なり、ＣＳＩ報告設定（CSI reporting setting）、リソース設定（resource setting）、及びＣＳＩ測定設定（CSI measurement setting）を用いて、ＣＳＩ関連手続を規定することを意味し得る。これを通じて、ＮＲシステムでは、ＣＳＩ関連手続は、チャネル及び／又はリソースの状況に合わせて、より柔軟な（flexible）方式で行われ得る。
【０２１７】
即ち、ＮＲシステムにおけるＣＳＩ関連手続に対する設定は、ＣＳＩ報告設定、リソース設定、及びＣＳＩ測定設定間の組み合わせによって定義され得る。
【０２１８】
例えば、端末は、Ｎ≧１個のＣＳＩ報告設定、Ｍ≧１個のリソース設定、及び一つのＣＳＩ測定設定でＣＳＩ獲得のために設定され得る。ここで、ＣＳＩ測定設定は、Ｎ個のＣＳＩ報告設定とＭ個のリソース設定との間のリンク関係（link）に対する設定情報を意味し得る。また、ここで、リソース設定は、参照信号設定（RS settings）及び／又は干渉測定設定（Interference Measurement settings、IM settings）を含む。
【０２１９】
図９は、本明細書で提案する方法が適用されることができるＮＲシステムで考慮されるＣＳＩフレームワーク（CSI framework）の一例を示す。
【０２２０】
図９を参照すると、ＣＳＩフレームワークは、報告設定（Reporting setting）９０２、測定設定（Measurement setting）９０４、及びリソース（資源）設定（Resource setting）９０６に設定され得る。ここで、報告設定はＣＳＩの報告設定を意味し、測定設定はＣＳＩの測定設定を意味し、リソース設定はＣＳＩ−ＲＳのリソース設定を意味し得る。
【０２２１】
図９では、ＣＳＩ−ＲＳリソースとして図示しているが、これに限定するのではなく、ＣＳＩ獲得（CSI acquisition）又はビーム管理（beam management）のために利用可能なダウンリンク参照信号（ＤＬ  ＲＳ）に対するリソースに代替されることもできる。
【０２２２】
図９に示されたように、報告設定９０２は、Ｎ個の（Ｎ≧１）報告設定（例えば、Ｒｅｐｏｒｔｉｎｇ  ｓｅｔｔｉｎｇ  ｎ１、Ｒｅｐｏｒｔｉｎｇ  ｓｅｔｔｉｎｇ  ｎ２等）で構成され得る。
【０２２３】
また、リソース設定９０６は、Ｍ個の（Ｍ≧１）リソース設定（例えば、Ｒｅｓｏｕｒｃｅ  ｓｅｔｔｉｎｇ  ｍ１、Ｒｅｓｏｕｒｃｅ  ｓｅｔｔｉｎｇ  ｍ２、Ｒｅｓｏｕｒｃｅ  ｓｅｔｔｉｎｇ  ｍ３等）で構成され得る。ここで、各リソース設定は、Ｓ個の（Ｓ≧１）リソースセット（resource set）を含み得、各リソースセットは、Ｋ個の（Ｋ≧１）ＣＳＩ−ＲＳリソースを含み得る。
【０２２４】
また、測定設定９０４は、報告設定とリソース設定との間のリンク（link）関係及び該当リンクに対して設定された測定タイプを示す設定情報を意味し得る。この場合、各測定設定は、Ｌ個の（Ｌ≧１）リンクを含み得る。例えば、測定設定は、Ｒｅｐｏｒｔｉｎｇ  ｓｅｔｔｉｎｇ  ｎ１とＲｅｓｏｕｒｃｅ  ｓｅｔｔｉｎｇ  ｍ１との間のリンク（Ｌｉｎｋ  ｌ１）に対する設定情報、Ｒｅｐｏｒｔｉｎｇ  ｓｅｔｔｉｎｇ  ｎ１とＲｅｓｏｕｒｃｅ  ｓｅｔｔｉｎｇ  ｍ２との間のリンク（Ｌｉｎｋ  ｌ２）に対する設定情報などを含み得る。
【０２２５】
このとき、Ｌｉｎｋ  ｌ１及びＬｉｎｋ  ｌ２の各々は、チャネル測定用リンク又は干渉測定用リンクのいずれかに設定され得る。のみならず、Ｌｉｎｋ  ｌ１及び／又はＬｉｎｋ  ｌ２は、レートマッチング（rate matching）又は異なる用途に設定されることもある。
【０２２６】
この場合、一つのＣＳＩ測定設定内で、一つ又は複数のＣＳＩ報告設定がＬ１（Layer 1）又はＬ２（Layer 2）のシグナリングを介して動的に（dynamically）選択され得る。また、少なくとも一つのリソース設定から選択された一つ又は複数のＣＳＩ−ＲＳリソースセット、及び少なくとも一つのＣＳＩ−ＲＳリソースセットから選択された一つ又は複数のＣＳＩ−ＲＳリソースも、Ｌ１又はＬ２のシグナリングを介して動的に選択され得る。
【０２２７】
以下、ＮＲシステムで考慮されるＣＳＩフレームワークを構成するＣＳＩ報告設定、リソース設定（すなわち、ＣＳＩ−ＲＳリソース設定）、及びＣＳＩ測定設定について見る。
【０２２８】
ＣＳＩ報告設定（CSI reporting setting）
【０２２９】
まず、ＣＳＩ報告設定は、端末が基地局に対して行うＣＳＩ報告のタイプ、該当ＣＳＩ報告に含まれる情報などを設定するための情報を意味することができる。
【０２３０】
例えば、ＣＳＩ報告設定は、時間領域の動作タイプ（time-domain behavior type）、周波数粒度（frequency granularity）、報告されるＣＳＩパラメータ（例えば、ＰＭＩ（Precoding Matrix Indicator）、ＲＩ（Rank Indicator）、ＣＱＩ（Channel Quality Indicator））、ＣＳＩタイプ（例えば、ＣＳＩ  Ｔｙｐｅ１又は２）、コードブックサブセット制限（codebook subset restriction）を含むコードブック設定、測定制限（measurement restriction）設定などを含むことができる。
【０２３１】
本明細書で、時間領域の動作タイプは、非周期的（aperiodic）動作、周期的（periodic）動作、又はセミパーシステント（semi-persistent）動作を意味することができる。
【０２３２】
この際、ＣＳＩ報告設定に対する設定パラメータは、上位層シグナリング（higher layer signaling）（例えば、ＲＲＣシグナリング）を通じて設定（又は、指示）されることができる。
【０２３３】
また、前述したＣＳＩ報告設定と関連して、３種類の周波数粒度で、広帯域報告（wideband reporting）、部分帯域報告（partial band reporting）、及びサブ帯域報告（subband reporting）がサポートされることができる。
【０２３４】
リソース設定（resource setting）
【０２３５】
次に、リソース設定は、ＣＳＩ測定及び報告のために利用するリソースを設定するための情報を意味し得る。例えば、リソース設定は、時間領域の動作タイプ、ＲＳのタイプ（例えば、ＮＺＰ  ＣＳＩ−ＲＳ（Non-Zero Power CSI-RS）、ＺＰ  ＣＳＩ−ＲＳ（Zero Power CSI-RS）、ＤＭＲＳ等）、Ｋ個のリソースで構成されたリソースセット等を含み得る。
【０２３６】
上記で言及したように、各リソース設定は、一つ又は複数のリソースセットを含んでもよく、各リソースセットは、一つ又は複数のリソース（例えば、ＣＳＩ−ＲＳリソース）を含んでもよい。また、リソース設定は、チャネル測定及び／又は干渉測定のための信号に対する設定を含んでもよい。
【０２３７】
一例として、各リソース設定は、Ｓ個のリソースセット（例えば、ＣＳＩ−ＲＳリソースセット）に対する設定情報を含み、各リソースセットに対するＫ個のリソースに対する設定情報も含み得る。このとき、各リソースセットは、端末に対して設定された全てのＣＳＩ−ＲＳリソースのプール（pool）から異なって選択された集合に該当し得る。また、各リソースに対する設定情報は、リソース要素へのマッピング、ポートの数、時間領域の動作タイプ等に関する情報を含み得る。
【０２３８】
或いは、別の例として、各リソース設定は、Ｓ個のＣＳＩ−ＲＳリソースに対する設定情報及び／又は各ＣＳＩ−ＲＳリソースに対して、同一であるか小さい数のポートのＫ個のＣＳＩ−ＲＳリソースに対する設定情報を含むこともある。
【０２３９】
このとき、Ｎ−ポートのＣＳＩ−ＲＳリソースのＣＳＩ−ＲＳ  ＲＥマッピングのパターンは、同一であるかさらに少ないポートの数（例えば、２、４、又は８）のＣＳＩ−ＲＳリソースの一つ又は複数のＣＳＩ−ＲＳマッピングのパターンで構成され得る。ここで、ＣＳＩ−ＲＳマッピングのパターンは、スロット内で定義され得、複数の設定可能な連続／非連続ＯＦＤＭシンボルにわたり得る（span）。
【０２４０】
この場合、リソース設定に対する設定パラメータは、上位層のシグナリング（例えば、ＲＲＣシグナリング）を介して設定され得る。
【０２４１】
また、各セミパーシステントリソース設定又は周期的リソース設定の場合、周期性（periodicity）は、設定情報に追加的に含まれることができる。
【０２４２】
ＣＳＩ測定設定（CSI measurement setting）
【０２４３】
次に、ＣＳＩ測定設定は、端末が、ＣＳＩ報告のための特定のＣＳＩ報告設定とこれにマッピングされた特定のリソース設定とに関して、どのような測定を行うかを示す設定情報を意味し得る。即ち、ＣＳＩ測定設定は、ＣＳＩ報告設定とリソース設定との間のリンク関係に関する情報を含み、各リンク（link）に対する測定タイプを示す情報を含み得る。また、測定タイプは、チャネル測定（channel measurement）、干渉測定（interference measurement）、レートマッチング（rate matching）等を意味し得る。
【０２４４】
一例として、ＣＳＩ測定設定は、ＣＳＩ報告設定を示す情報、リソース設定を示す情報、ＣＱＩの場合、基準送信方式（reference transmission scheme）に対する設定を含み得る。これに関して、端末は、Ｌ≧１個のＣＳＩ測定設定をサポートし得、Ｌ値は、該当端末の能力に応じて設定され得る。
【０２４５】
このとき、一つのＣＳＩ報告設定は、一つ又は複数のリソース設定に接続されてもよく、複数のＣＳＩ報告設定が同じリソース設定に対して接続されてもよい。
【０２４６】
この場合、ＣＳＩ測定設定に対する設定パラメータは、上位層のシグナリング（例えば、ＲＲＣシグナリング）を介して設定され得る。
【０２４７】
また、ＮＲシステムでは、ＣＳＩフィードバックのためのＺＰ（Zero-Power）ＣＳＩ−ＲＳベースの干渉測定がサポートされる。また、ＣＳＩフィードバックのための干渉測定に対するＺＰ  ＣＳＩ−ＲＳに基づく非周期的干渉測定リソース（Interference Measurement Resource、ＩＭＲ）、セミパーシステントＩＭＲ、及び周期的ＩＭＲがサポートされることができる。
【０２４８】
また、前述したＣＳＩ報告設定、リソース設定、及びＣＳＩ測定設定に関して、時間領域における動作タイプによる合意事項は、次の通りである。
【０２４９】
まず、周期的ＣＳＩ−ＲＳの場合（即ち、ＣＳＩ−ＲＳの送信が周期的に行われる場合）、セミパーシステントＣＳＩ報告は、ＭＡＣ  ＣＥ及び／又はダウンリンク制御情報（Downlink Control Information、ＤＣＩ）によって活性化（activation）／非活性化（deactivation）され得る。これと異なり、非周期的ＣＳＩ報告は、ＤＣＩによってトリガされ得、但し、この場合、ＭＡＣ  ＣＥに設定された追加的なシグナリングが必要であり得る。
【０２５０】
次に、セミパーシステントＣＳＩ−ＲＳの場合（即ち、ＣＳＩ−ＲＳの送信がセミパーシステントに行われる場合）、周期的ＣＳＩ報告はサポートされない。反面、セミパーシステントＣＳＩ報告は、ＭＡＣ−ＣＥ及び／又はＤＣＩによって活性化／非活性化され得、セミパーシステントＣＳＩ−ＲＳは、ＭＡＣ−ＣＥ及び／又はＤＣＩによって活性化／非活性化され得る。また、この場合、非周期的ＣＳＩ報告は、ＤＣＩによってトリガされ得、セミパーシステントＣＳＩ−ＲＳは、ＭＡＣ−ＣＥ及び／又はＤＣＩによって活性化／非活性化され得る。
【０２５１】
最後に、非周期的ＣＳＩ−ＲＳの場合（即ち、ＣＳＩ−ＲＳの送信が非周期的に行われる場合）、周期的（及びセミパーシステント）ＣＳＩ報告は、サポートされない。反面、非周期的ＣＳＩ報告は、ＤＣＩによってトリガされ得、非周期的ＣＳＩ−ＲＳは、ＤＣ及び／又はＭＡＣ−ＣＥによってトリガされ得る。
【０２５２】
前述した内容及び合意事項を参照すると、ＮＲシステムでは、ＣＳＩ報告と関連して３種類の時間領域の動作タイプをサポートすることができる。ここで、３種類の時間領域の動作タイプは、非周期的（aperiodic）ＣＳＩ報告、セミパーシステント（semi-persistent）ＣＳＩ報告、及び周期的（periodic）ＣＳＩ報告を意味することができる。これと類似するように、ＮＲシステムは、（アナログ及び／又はデジタル）ビーム（beam）と関連する報告に対して、３種類の時間領域の動作タイプのうち、一部又は全部をサポートすることができる。
【０２５３】
また、ＣＳＩ獲得（CSI acquisition）のとき、チャネル測定のためのダウンリンク参照信号（ＤＬ  ＲＳ）の場合にも、前述した３種類の時間領域の動作タイプ（例えば、非周期的ＣＳＩ−ＲＳ、セミパーシステントＣＳＩ−ＲＳ、周期的ＣＳＩ−ＲＳ）がサポートされることができる。これと類似するように、ビーム管理（beam management）のためのＤＬ  ＲＳに対しても、前述した３種類の時間領域の動作タイプの全部又は一部がサポートされることができる。基本的には、ビーム管理のためのＤＬ  ＲＳとしてＣＳＩ−ＲＳが考慮されるが、他のＤＬ信号も利用できる。例えば、ビーム管理のためのＤＬ  ＲＳは、モビリティ（移動性）ＲＳ（mobility RS）、ビームＲＳ（beam RS）、同期信号（Synchronization Signal、ＳＳ）、ＳＳブロック（SS block）、ＤＬ  ＤＭＲＳ（例えば、ＰＢＣＨ  ＤＭＲＳ、ＰＤＣＣＨ  ＤＭＲＳ）などでありうる。
【０２５４】
また、前述したように、ＮＲシステムは、ＣＳＩ獲得（CSI acquisition）のとき、基地局が端末に指定する干渉測定リソース（ＩＭＲ）と関連して、ＺＰ  ＣＳＩ−ＲＳベースの干渉測定方式をサポートすることができる。また、上記干渉測定リソース（ＩＭＲ）と関連して、ＮＺＰ（Non-Zero-Power）ＣＳＩ−ＲＳベースの干渉測定方式又はＤＭＲＳベースの干渉測定方式のうちの少なくとも一つがサポートされることができる。
【０２５５】
特に、ＬＴＥシステム（すなわち、レガシＬＴＥシステム）では、ＺＰ  ＣＳＩ−ＲＳベースのＩＭＲが準静的（semi-static）に設定されるのとは異なり、ＮＲシステムでは、動的にＺＰ  ＣＳＩ−ＲＳベースのＩＭＲを設定する方式がサポートされることができる。例えば、ＺＰ  ＣＳＩ−ＲＳベースの非周期的ＩＭＲ、セミパーシステントＩＭＲ、及び／又は周期的ＩＭＲ方式が利用されることができる。
【０２５６】
したがって、ＣＳＩ測定及び報告のためのチャネル推定（又は、チャネル測定）、干渉推定（又は、干渉測定）、及び報告に対して、多様な時間領域の動作タイプの組合せが考慮されることができる。例えば、非周期的ＣＳＩ報告は、チャネル測定のための非周期的／セミパーシステント／周期的ＮＺＰ  ＣＳＩ−ＲＳ及び干渉測定のための非周期的／セミパーシステント／周期的ＺＰ  ＣＳＩ−ＲＳと共に設定されることができる。他の例として、セミパーシステントＣＳＩ報告は、チャネル測定のためのセミパーシステント／周期的ＮＺＰ  ＣＳＩ−ＲＳ及び干渉測定のためのセミパーシステント／周期的ＺＰ  ＣＳＩ−ＲＳと共に設定されることができる。更に他の例として、周期的ＣＳＩ報告は、チャネル測定のための周期的ＮＺＰ  ＣＳＩ−ＲＳ及び干渉測定のための周期的ＺＰ  ＣＳＩ−ＲＳと共に設定されることができる。
【０２５７】
本明細書で、‘Ａ／Ｂ’は、Ａ又はＢを意味し、‘／’の間には順序を変えた組合せも考慮できる。例えば、‘Ａ／Ｂ及びＣ／Ｄ’は、‘Ａ及びＣ’、‘Ａ及びＤ’、‘Ｂ及びＣ’、又は‘Ｂ及びＤ’を意味することができる。
【０２５８】
上記例において、非周期的ＲＳ及び／又はＩＭＲ（例えば、非周期的ＮＺＰ  ＣＳＩ−ＲＳ及び／又は非周期的ＺＰ  ＣＳＩ−ＲＳ）は、非周期的報告のみに用いられ、セミパーシステントＲＳ及び／又はＩＭＲ（例えば、セミパーシステントＮＺＰ  ＣＳＩ−ＲＳ及び／又はセミパーシステントＺＰ  ＣＳＩ−ＲＳ）は、非周期的又はセミパーシステント報告のみに用いられ、周期的ＲＳ及び／又はＩＭＲ（例えば、周期的ＮＺＰ  ＣＳＩ−ＲＳ及び／又は周期的ＺＰ  ＣＳＩ−ＲＳ）は、全ての報告に用いられると仮定された。但し、これに限定されるものではなく、多様な組合せ（例えば、非周期的ＲＳ及び／又はＩＭＲと共に設定されたセミパーシステント報告）により設定できることは勿論である。
【０２５９】
また、上記ＲＳ及びＩＭＲは、全てのリソース設定（resource setting）に含まれ、該当リソースの用途（例えば、チャネル推定用、干渉推定用）は、測定設定（measurement setting）において各リンクに対する設定を通じて指示されることができる。
【０２６０】
前述したような内容を参照すると、一例において、ＮＲシステムでＣＳＩ測定及び報告と関連する無線リソース制御設定（Radio Resource Control configuration、RRC configuration）は、表４の通り定義されることができる。
【０２６１】
＜表４＞
【表４】
0006924272.tif 000044
【０２６２】
表４を参照すると、基地局は、上位層シグナリングを通じて、Ｍ個のリソース設定、Ｎ個の報告設定、及び一つの測定設定を端末に知らせることができる。
【０２６３】
例えば、各リソース設定（すなわち、リソース設定ｍ）は、リソース設定レベル（水準）共通属性（resource setting-level common property）及びリソースセット（resource set s）の設定を含むことができる。ここで、上記リソース設定レベル共通属性は、リソース設定を通じて伝達される共通の特性を意味し、時間領域動作（time domain behavior）、ＲＳタイプ、ＲＳの用途（ビーム管理、又はＣＳＩ獲得）、周波数位置及び帯域幅、ＲＳ電力などを含むことができる。
【０２６４】
また、上記リソースセットの設定は、リソース設定を構成するＳ個のリソースセットに対する設定情報を意味することができる。各リソースセット（すなわち、リソースセットｓ）は、リソースセットレベル（水準）（resource set level）の共通属性（例えば、周波数位置及び帯域幅、ＲＳ電力、周期、スロットオフセット、ポート数など）及び各集合に対するリソースｋ（resource k）（すなわち、各リソースセットにＫ個のリソースが含まれることができる）を含むことができる。また、各リソースセットは、ＲＥへのマッピング、ポート数などのリソースレベル（水準）（resource level）における設定情報も含むことができる。
【０２６５】
また、各報告設定（すなわち、報告設定ｎ）は、報告と関連する設定情報を含むことができる。一例において、上記報告と関連する設定情報は、報告されるＣＳＩパラメータ、報告される場合、ＣＳＩタイプ（ＣＳＩタイプ１又は２）、コードブックサブセット制限を含むコードブック設定、時間領域動作、ＣＱＩ及びＰＭＩに対する周波数粒度、測定制限設定などを含むことができる。
【０２６６】
また、測定設定は、Ｌ個のリンクに対する設定情報を含むことができる。この際、該当設定情報は、該当リンクに対して設定されたリソース設定指示子（resource setting indicator）、報告設定指示子（reporting setting indicator）、及び／又は測定される指標（例えば、チャネル又は干渉）を指示する情報を含むことができる。
【０２６７】
前述したようなＲＲＣ設定情報を受信した端末は、各報告設定に適合したチャネル及び／又は干渉測定を準備又は実行することができる。
【０２６８】
また、ＮＲシステムでは、階層的シグナリング（hierarchical signaling）を通じてＣＳＩ報告設定又はＣＳＩリソース設定をトリガ、活性化、及び／又は不活性化する方法が考慮されることができる。
【０２６９】
例えば、動的な（dynamic）報告トリガ／活性化／不活性化動作をサポートするために、ＮＲシステムでは、上位層シグナリングを通じて設定されたＮ個の報告設定のうち、動的なシグナリングを通じて一つ又は複数の報告設定を選択する方式が導入されることができる。一例において、上記上位層シグナリングは、Ｌ３（Layer3）シグナリング（例えば、ＲＲＣシグナリング）を意味し、上記動的なシグナリングは、Ｌ１（Layer1）シグナリング（例えば、ＤＣＩ）及び／又はＬ２（Layer2）シグナリング（例えば、ＭＡＣ−ＣＥ）を意味することができる。
【０２７０】
また、動的なリソーストリガ／活性化／不活性化動作をサポートするために、ＮＲシステムでは、上位層シグナリング（例えば、Ｌ３シグナリング）を通じて設定されたＭ個のリソース設定内で、ａ）一つ又は複数のリソースセット（resource set）を選択する動作（動作１）及び／又は、ｂ）一つ又は複数のリソース（resource）を選択する動作（動作２）をサポートすることができる。
【０２７１】
具体的には、図９を参照すると、動作１は、Ｍ個のリソース設定、各リソース設定に含まれたＳ個のリソースセット、及び各リソースセットに含まれたＫ個のリソースを考慮して、一つ又は複数のリソースセットを選択する動作を意味することができる。また、動作２は、Ｍ個のリソース設定、各リソース設定に含まれたＳ個のリソースセット、及び各リソースセットに含まれたＫS個のリソースを考慮して、一つ又は複数のリソースを選択する動作を意味することができる。この際、動作１は、リソースセットレベルの選択（resource set-level selection）動作と称されることができ、動作２は、リソースレベルの選択（resource-level selection）動作と称されることができる。
【０２７２】
図１０は、本明細書で提案する方法が適用されることができるリソースセット（資源集合）又はリソース（資源）選択方法の例を示す。図１０は、説明の便宜のためのものであり、本発明の範囲を制限するものではない。
【０２７３】
図１０を参照すると、図９に示したように、端末が基地局から上位層シグナリング（例えば、ＲＲＣシグナリング）を通じてＣＳＩフレームワーク（すなわち、Ｍ個のリソース設定、Ｎ個の報告設定、及びＬ個のリンクに対する設定情報を含む測定設定）に対する設定情報を受信した場合が仮定される。
【０２７４】
また、図１０では、ＣＳＩ−ＲＳリソースとして図示されているが、これに限定されるものではなく、ＣＳＩ獲得又はビーム管理のために利用可能なダウンリンク参照信号（ＤＬ  ＲＳ）に対するリソースに代替されることもできる。
【０２７５】
図１０の（ａ）は、前述した動的なシグナリングを通じて一つ又は複数のリソースセットを選択する動作（すなわち、動作１）を示す。例えば、端末は、Ｌ１シグナリング（例えば、ＤＣＩ）又はＬ２シグナリング（例えば、ＭＡＣ−ＣＥ）を通じて、基地局から一つ又は複数の報告設定の指示を受けて、一つ又は複数のリソースセットの指示を受けることができる。
【０２７６】
また、図１０の（ｂ）は、前述した動的なシグナリングを通じて一つ又は複数のリソースを選択する動作（すなわち、動作２）を示す。例えば、端末は、Ｌ１シグナリング又はＬ２シグナリングを通じて、基地局から一つ又は複数の報告設定の指示を受けて、一つ又は複数のリソースの指示を受けることができる。
【０２７７】
図１０の（ａ）及び（ｂ）では、説明の便宜上、リソースセット／リソース選択と報告設定選択とが独立して行われることとして図示されているが、統合的なシグナリングを通じて行われることもできる。例えば、基地局は、一つのＤＣＩを用いて、リソースセット（又は、リソース）選択と報告設定選択との組合せを一度で端末に知らせることもできる。
【０２７８】
但し、図１０で説明したような方式（すなわち、動作１及び動作２）が適用される場合、上位層シグナリング（例えば、ＲＲＣシグナリング）を通じて設定されるリソースセットの数及びリソースの数が過度に多いため、動的なシグナリング（例えば、Ｌ１／Ｌ２シグナリング）の負担（又は、複雑度）が増加できる。
【０２７９】
例えば、システムで許容される最大Ｍ値（すなわち、最大リソース設定の数）が８であり、Ｓ値（すなわち、リソース設定別最大リソースセット数）が４であり、ＫS値（すなわち、リソースセット別最大リソース数）が８に設定される場合が仮定されることができる。この場合、前述した動作１に従うリソースセット選択を考慮すれば、基地局は、Ｌ１又はＬ２シグナリングを通じて最大３２個（３２=８＊４）の候補のうちから選択されたリソースセットを端末に指示することができる。また、前述した動作２に従うリソース選択を考慮すれば、最大２５６個（２５６=８＊４＊８）の候補のうちから選択されたリソースを端末に指示することができる。
【０２８０】
また、基地局が選択しなければならないリソースセット又はリソースの数が上記の場合（すなわち、一つ選択）とは異なり、２つに設定されることもできる。この場合、前述した動作１に従うリソースセット選択を考慮すれば、基地局は、32Ｃ2、すなわち４９６個の候補のうちのリソースセットを選択する必要がある。また、前述した動作２に従うリソース選択を考慮すれば、基地局は、256Ｃ2、すなわち３２６４０個の候補のうちのリソースを選択する必要がある。
【０２８１】
前述したように、基地局が全てのリソースセット又はリソースを候補として考慮して指示する場合、制御シグナリングのオーバーヘッド（control signaling overhead）が相当に大きいことがある。
【０２８２】
したがって、以下の本明細書では、このような制御シグナリングオーバーヘッドを減らすための多様な方法が説明される。
【０２８３】
具体的には、本明細書は、動的なリソース選択のためのＬ１／Ｌ２シグナリングを行う時、暗示的（implicit）／明示的（explicit）シグナリング又は特定規則により決定されたリソースグループ（resource group）内のみでリソースセット（及び／若しくはリソース）を選択する方法を提案する。
【０２８４】
ここで、リソースグループは、一つ若しくは複数のリソース設定、一つ若しくは複数のリソースセット、並びに／又は一つ若しくは複数のリソースで構成されたリソース候補を意味することができる。すなわち、Ｍ個のリソース設定、各リソース設定に含まれたＳ個のリソースセット、及び各リソースセットに含まれたＫ個のリソースは、特定属性（property）によって一つ又は複数のグループに分類できる。この際、上記リソースグループ内でリソースセット（及び／又はリソース）のインデックスは、番号が付け直される（re-numbering）ことができる。
【０２８５】
以下、制御シグナリングオーバーヘッドを減少させるために考慮される上記リソースグループを設定する方法に関して説明する。上記リソースグループは、以下、本明細書の実施例で説明される方式を各々用いて設定されるか、又は複数の方式を組み合せて設定されることができる。
【０２８６】
以下、本明細書で説明される実施例は、説明の便宜のために区分されたものであり、ある実施例の一部の構成や特徴は、他の実施例に含まれることができ、又は他の実施例の対応する構成若しくは特徴と置き換えてもよい。
【０２８７】
第１実施例−報告設定の時間領域動作タイプ（time-domain behavior type）によってリソースグループを設定する方法
【０２８８】
まず、報告設定のパラメータ（parameter）を通じて、暗示的に、リソース設定、リソースセット、及び／又はリソースをグループ化（grouping）する方法を説明する。
【０２８９】
具体的には、第１実施例では、リソースと接続設定された報告設定に対するパラメータ（すなわち、上位層シグナリングを通じて予め設定された報告設定パラメータ）のうち、時間領域の動作タイプを示すパラメータによってリソースグループを設定する方法を説明する。
【０２９０】
この際、リソースグループは、システム上でサポートされるリソース（resource）と報告（reporting）との組合せ（combination）により設定されることが（又は、決定）できる。ここで、上記サポートされるリソースと報告との組合せは、前述したように次の例のように設定されることができる。これは、組合せに関する例を示したものであり、これに限定されるものではなく、例示されていない多様な組合せに対しても適用できることは勿論である。
【０２９１】
上記リソースと報告との組合せの一例において、非周期的ＣＳＩ報告は、チャネル測定のための非周期的／セミパーシステント／周期的ＮＺＰ  ＣＳＩ−ＲＳ及び干渉測定のための非周期的／セミパーシステント／周期的ＺＰ  ＣＳＩ−ＲＳと共に設定されることができる。あるいは、他の例において、セミパーシステントＣＳＩ報告は、チャネル測定のためのセミパーシステント／周期的ＮＺＰ  ＣＳＩ−ＲＳ及び干渉測定のためのセミパーシステント／周期的ＺＰ  ＣＳＩ−ＲＳと共に設定されることができる。更に他の例において、周期的ＣＳＩ報告は、チャネル測定のための周期的ＮＺＰ  ＣＳＩ−ＲＳ及び干渉測定のための周期的ＺＰ  ＣＳＩ−ＲＳと共に設定されることができる。
【０２９２】
すなわち、報告設定に対して設定された時間領域の動作タイプによって、リソースセット及び／又はリソースが一つ又は複数のグループに分類できる。例えば、指示された報告設定が周期的報告設定である場合、基地局は、周期的報告設定に対して予め接続された（又は、予め設定された）リソース設定（又は、リソースセット、リソース）内のみでＣＳＩ−ＲＳを転送するリソースを指示することができる。ここで、周期的報告設定に対して予め接続されたリソース設定（又は、リソースセット、リソース）は、周期的報告設定に対応するリソースグループと称されることができる。
【０２９３】
一例において、前述した方式に従うとき、上位層を通じて伝達されたＭ個のリソース設定、各リソース設定に含まれたＳ個のリソースセット、及び／又は各リソースセットに含まれたＫ個のリソースは、周期的報告設定に対応するリソースグループ、非周期的報告設定に対応するリソースグループ、及びセミパーシステント報告設定に対応するリソースグループに分類できる。
【０２９４】
この場合、リソース設定、リソースセット、及び／又はリソースのインデックスは、各グループ内で番号が付け直される（re-numbering）ことができる。すなわち、リソース設定のインデックス、リソースセットのインデックス、及び／又はリソースのインデックスは、上位層シグナリング（例えば、ＲＲＣシグナリング）を通じてインデクシング（indexing）されたのとは別に、各グループ内で別個にインデクシングできる。
【０２９５】
前述した方法に対する具体的な例は、次の通りである。
【０２９６】
例えば、基地局が非周期的リソース（例えば、非周期的ＲＳ／ＩＭＲ）をトリガする場合、端末の選択のために基地局が指示するリソースグループは、非周期的報告設定と接続設定されたリソース設定に属するリソースセット及び／又はリソースで構成されることができる。言い換えると、該当の場合に、基地局は、非周期的報告設定に対応する特定リソースグループ内のリソースセット又はリソースをＬ１／Ｌ２シグナリングを通じて指示することができる。これを通じて、端末は、指示された特定リソースグループ内でリソースセット又はリソースを選択することができる。この場合、報告設定とリソース設定（又は、リソースセット、リソース）との間の接続設定は、上位層シグナリング（例えば、ＲＲＣシグナリング）を通じて遂行できる。
【０２９７】
他の例として、基地局がセミパーシステントリソース（例えば、セミパーシステントＣＳＩ−ＲＳ）を活性化（activation）又は不活性化（deactivation）する場合、端末の選択のために基地局が指示するリソースグループは、非周期的報告設定及び／又はセミパーシステント報告設定と接続設定されたリソース設定に属するリソースセット及び／又はリソースで構成されることができる。言い換えると、該当の場合に、基地局は、非周期的報告設定及び／又はセミパーシステント報告設定に対応する特定リソースグループ内でリソースセット又は特定リソースをＬ１／Ｌ２シグナリングを通じて指示することができる。これを通じて、端末は、指示された特定リソースグループ内でリソースセット又はリソースを選択することができる。この場合にも、報告設定とリソース設定（又は、リソースセット、リソース）との間の接続設定は、上位層シグナリング（例えば、ＲＲＣシグナリング）を通じて遂行できる。
【０２９８】
この際、基地局は、報告設定に対する選択指示のためのメッセージとリソースセット又はリソースに対する選択指示のためのメッセージとを一つのシグナリングを通じて伝達するか、又は各々のシグナリングを通じて伝達することができる。例えば、基地局は、上記メッセージをＬ１シグナリング（例えば、ＤＣＩ）又はＬ２シグナリング（例えば、ＭＡＣ−ＣＥ）のうちのいずれか一つを通じて共に伝達することができる。あるいは、基地局は、報告設定に対する選択指示のためのメッセージをＬ２シグナリングを通じて伝達し、リソースセット又はリソースに対する選択指示のためのメッセージをＬ１シグナリングを通じて伝達することができ、反対の場合も可能である。
【０２９９】
第１実施例で提案する方法は、非周期的リソース選択メッセージとセミパーシステントリソース選択メッセージとが暗示的又は明示的に区分される場合に有用に利用されることができる。
【０３００】
例えば、基地局が非周期的リソース選択をＤＣＩを通じて指示し、セミパーシステントリソース選択をＭＡＣ−ＣＥを通じて指示するように設定される場合、端末は、２種類のリソース選択タイプを暗示的に区分することができる。すなわち、該当の例では、リソース選択情報がＤＣＩを通じて受信されれば、該当端末は、受信した情報を非周期的リソース選択と関連する情報と認識することができる。これとは異なり、リソース選択情報がＭＡＣ−ＣＥを通じて受信されれば、該当端末は、受信した情報をセミパーシステントリソース選択と関連する情報と認識することができる。
【０３０１】
第２実施例−リソース関連パラメータによってリソースグループを設定する方法
【０３０２】
次に、リソース関連パラメータ（parameter）によって、リソース設定、リソースセット、及び／又はリソースをグループ化する方法を説明する。
【０３０３】
具体的には、第２実施例では、リソースタイプ（resource type）、リソース特性（resource property）、及び／又は測定設定により指定された該当リソースの用途（例えば、チャネル測定、干渉測定、ＰＤＳＣＨレートマッチングなど）などによって（暗示的に）リソースグループを設定する方法を説明する。ここで、リソースグループ設定のために利用可能なリソース関連パラメータは、上位層シグナリング（例えば、ＲＲＣシグナリング）を通じて設定されるリソース設定に含まれたパラメータを意味することができる。
【０３０４】
すなわち、上位層シグナリングなどを通じて設定されたＭ個のリソース設定、各リソース設定に含まれたＳ個のリソースセット、及び／又は各リソースセットに含まれたＫ個のリソースは、各リソースに対して設定されたパラメータ値によって複数のリソースグループに分類できる。
【０３０５】
前述した方法の場合、基地局が明示的なシグナリングを通じてグループ指示子（group indicator）を伝達する必要がないという長所がある。すなわち、該当方法が適用される場合、別途のグループ指示子無しで、該当リソースのタイプ、特性及び／又は用途と関連する指示子を通じてリソースグループが設定されることができる。
【０３０６】
前述した方法に対する具体的な例は、次の通りである。
【０３０７】
例えば、時間領域の動作（time-domain behavior）によるリソースタイプによってリソースグループが設定されることができる。具体的には、複数のリソース設定、複数のリソースセット、及び／又は複数のリソースは、非周期的リソースグループ（aperiodic resource group）、周期的リソースグループ（periodic resource group）、又はセミパーシステントリソースグループ（semi-persistent resource group）に分類できる。
【０３０８】
他の例として、該当リソースが用いられる方式（use case）によるリソースタイプによってリソースグループが設定されることもできる。具体的には、複数のリソース設定、複数のリソースセット、及び／又は複数のリソースは、ビーム管理のためのリソースグループ（例えば、ＣＳＩ−ＲＳ  ｆｏｒ  ＢＭ）又はＣＳＩ獲得のためのリソースグループ（例えば、ＣＳＩ−ＲＳ  ｆｏｒ  ＣＳＩ  ａｃｑｕｉｓｉｔｉｏｎ）などに分類できる。
【０３０９】
更に他の例として、参照信号の種類によるリソースタイプによってリソースグループが設定されることもできる。具体的には、複数のリソース設定、複数のリソースセット、及び／又は複数のリソースは、ＣＳＩ−ＲＳに該当するリソースグループ、ＭＲＳに該当するリソースグループ、又はＢＲＳに該当するリソースグループなどに分類できる。
【０３１０】
更に他の例として、リソースに設定される電力によるリソースタイプによってリソースグループが設定されることができる。具体的には、複数のリソース設定、複数のリソースセット、及び／又は複数のリソースは、ＺＰ（Zero-Power）に該当するリソースグループ（例えば、ＺＰ  ＣＳＩ−ＲＳ）又はＮＺＰ（Non-Zero-Power）に該当するリソースグループ（例えば、ＮＺＰ  ＣＳＩ−ＲＳ）などに分類できる。
【０３１１】
また、前述した例で説明された方法を組み合せてリソースグループを設定することも可能である。
【０３１２】
例えば、リソースグループは、時間領域の動作タイプ、該当リソースが用いられる方式及び該当リソースに設定される電力を共に考慮して設定されることができる。具体的には、上位層シグナリングを通じて設定された複数のリソース設定、複数のリソースセット、及び／又は複数のリソースは、以下のようなリソースグループに分類できる。
【０３１３】
−  干渉測定用非周期的ＺＰ  ＣＳＩ−ＲＳ（aperiodic ZP CSI-RS for IM）
【０３１４】
−  干渉測定用非周期的ＮＺＰ  ＣＳＩ−ＲＳ（aperiodic NZP CSI-RS for IM）
【０３１５】
−  チャネル測定用非周期的ＮＺＰ  ＣＳＩ−ＲＳ（aperiodic NZP CSI-RS for CM）
【０３１６】
−  干渉測定用セミパーシステントＺＰ  ＣＳＩ−ＲＳ（semi-persistent ZP CSI-RS for IM）
【０３１７】
−  干渉測定用セミパーシステントＮＺＰ  ＣＳＩ−ＲＳ（semi-persistent NZP CSI-RS for IM）
【０３１８】
−  チャネル測定用セミパーシステントＮＺＰ  ＣＳＩ−ＲＳ（semi-persistent NZP CSI-RS for CM）
【０３１９】
−  干渉測定用周期的ＺＰ  ＣＳＩ−ＲＳ（periodic ZP CSI-RS for IM）
【０３２０】
−  干渉測定用周期的ＮＺＰ  ＣＳＩ−ＲＳ（periodic NZP CSI-RS for IM）
【０３２１】
−  チャネル測定用周期的ＮＺＰ  ＣＳＩ−ＲＳ（periodic NZP CSI-RS for CM）
【０３２２】
上記例は、リソースタイプ間の組合せの一例に過ぎず、これに限定されるものではなく、リソースグループが多様なリソースタイプ間の組合せを考慮して設定されることができることは勿論である。
【０３２３】
第３実施例−リンクの属性（link property）によってリソースグループを設定する方法
【０３２４】
次に、リソースに対して測定設定（measurement setting）を通じて設定された各リンク（link）の属性パラメータによって、リソースグループを設定する方法を説明する。
【０３２５】
具体的には、第３実施例では、該当リソースに対して設定されたリンクの用途を示すパラメータ（例えば、“Quantity to be measured”）によってリソースグループを設定する方法を説明する。
【０３２６】
例えば、各リソースに対して設定されるリンクは、チャネル推定（すなわち、チャネル測定）又は干渉推定の用途に設定されることができる。この場合、基地局は、各リンクの属性を示すパラメータを用いて端末にリンクの用途を指示することができる。また、基地局は、上記パラメータを用いて、該当リソースがＰＤＳＣＨ（すなわち、データ）のレートマッチングの用途に用いられるか否かを示す情報を端末に追加的に伝達することもできる。
【０３２７】
この際、同一のリソース設定が複数の報告設定のために設定されることができ、該当リソース設定は、各報告設定に対して互いに異なる用途に用いられるように設定されることもできる。一例において、特定リソース設定が、第１報告設定に対してはチャネル測定用リソースに設定され、第２報告設定に対しては干渉測定用リソースに設定されることができる。
【０３２８】
したがって、上記方法を用いる場合、設定されたリソースグループ間で重複するリソースセット及び／又はリソースが存在し得る。
【０３２９】
第４実施例−基地局の指示（indication）によってリソースグループを設定する方法
【０３３０】
次に、基地局により伝達される指示子（indicator）によって、リソースグループを設定する方法について説明する。
【０３３１】
具体的には、第４実施例では、基地局により指示される報告設定に対する指示子、リンクに対する指示子、及び／又はリソース関連指示子によってリソースグループを設定する方法を説明する。ここで、リソース関連指示子は、リソース、リソースセット、及び／又はリソースグループに対する指示子を意味することができる。
【０３３２】
前述した方法に対する具体的な例は、次の通りである。
【０３３３】
例えば、基地局により端末に報告設定に対する指示子が伝達された場合、該当端末は、指示された報告設定に接続設定されたリソースセット又はリソース内のみで、ＣＳＩ報告に用いられるリソースを選択することができる。
【０３３４】
他の例として、基地局により端末にリンクに対する指示子が伝達された場合、該当端末は、指示されたリンクに接続設定されたリソースセット又はリソース内のみでＣＳＩ報告に用いられるリソースを選択することができる。
【０３３５】
更に他の例として、基地局によりリソースセットに対する指示子が伝達された場合、該当端末は、指示されたリソースセット内のみでＣＳＩ報告に用いられるリソースを選択することができる。
【０３３６】
更に他の例として、基地局によりリソースに対する指示子が伝達された場合、該当端末は、指示されたリソース内のみでＣＳＩ報告に用いられるリソースを選択することができる。
【０３３７】
この際、基地局は、上記指示子（すなわち、シグナリング情報）をリソース関連制御情報と同一の層のメッセージを通じて伝達するか、又は上位層のメッセージを通じて伝達することもできる。ここで、上記リソース関連制御情報は、基地局が、リソースをトリガ、活性化、又は不活性化するための制御情報を意味することができる。例えば、上記指示子は、上記制御情報と同一にＬ１シグナリング（例えば、ＤＣＩ）を通じて伝達されるか、又は上記制御情報より上位層であるＬ２シグナリング（例えば、ＭＡＣ−ＣＥ）を通じて伝達されることもできる。
【０３３８】
また、基地局は、上記指示子など（すなわち、報告設定、リンク、リソースセット、又はリソースに対する指定情報）を、上記リソース関連制御情報と同一のスロット（slot）又は以前の（previous）スロットで伝達することができる。ここで、スロットは、転送単位を示すものであり、これに限定されるものではなく、他の時間単位（例えば、サブフレーム、転送時間間隔など）に代替されることができる。
【０３３９】
基地局が以前のスロットで上記指示子を伝達する場合、上記指示子による情報が有効な範囲（例えば、Ｎスロット／msec）を規定する方法が考慮されることができる。この際、有効な範囲の基準は、端末が上記リソース関連制御情報を受信した時点に設定されることができる。
【０３４０】
例えば、端末が上記リソース関連制御情報を受信した時点を基準に上記有効な範囲以前に上記指示子を受信した場合に、該当端末は、指示された（又は、指定された）報告設定、リンク、リソースセット又はリソースがＣＳＩ報告リソースを選択するための情報として有効なものであると判断することができる。一方、端末が上記リソース関連制御情報を受信した時点を基準に上記有効な範囲以後に上記指示子を受信する場合に、該当端末は、指示された（又は、指定された）報告設定、リンク、リソースセット又はリソースを無視するように設定できる。
【０３４１】
また、上記報告設定、リンク、リソースセット、及び／又はリソースの識別子（ＩＤ）は、端末に予め設定された絶対的な報告設定の数、リンクの数、リソースセットの数、及び／又はリソースの数により番号付けられないことがある。すなわち、基地局により指示される報告設定のインデックス、リンクのインデックス、リソースセットのインデックス、又はリソースのインデックスは、端末が以前に上位層シグナリングを通じて予め設定を受けたインデックスと異なるように設定されることができる。
【０３４２】
例えば、本明細書の実施例で提案する方法を共に適用して、予め決定された候補群（すなわち、報告設定、リンク、リソースセット、又はリソースに対する候補群）内で、上記インデックスは、番号が付け直される（又は、インデクシングされる）ことができる。ここで、上記予め決定された候補群は、前述したシステム上でサポートされる組合せ、基地局によるシグナリング、及び／又はリソースのタイプ（又は、特性）によって設定されることができる。言い換えると、上記予め決定された候補群内で、報告設定、リンク、リソースセット、又はリソースに対するインデックスが再設定されることができる。
【０３４３】
また、基地局がリソースグループに関する情報を上位層シグナリング（例えば、Ｌ２／Ｌ３シグナリング）を通じて端末に予め伝達する方法も考慮されることができる。例えば、基地局は、ＲＲＣメッセージ又はＭＡＣ−ＣＥメッセージを通じて、リソース設定、リソースセット、又はリソース単位に設定されたリソースグループインデックス（resource group index）を端末に伝達することができる。この後、基地局は、別のシグナリング（例えば、Ｌ１／Ｌ２シグナリング）を通じて端末に特定リソースグループインデックス（又は、特定リソースグループ識別子）を指示することができる。これを通じて、該当端末は、上記特定リソースグループインデックスに該当するリソースグループのみでＣＳＩ報告に用いられるリソースを選択するように設定（又は、指示）されることができる。
【０３４４】
この際、上記別途のシグナリングは、上記グループに関する情報に用いられるシグナリングと同一の層で行われるか、又は下位層で遂行できる。例えば、基地局は、上記リソースグループに関する情報をＲＲＣシグナリングを通じて伝達し、上記特定リソースグループインデックスを指示する情報は、ＭＡＣ−ＣＥを通じて伝達することができる。この後、基地局は、ＤＣＩを用いて、上記ＭＡＣ−ＣＥを通じて指示されたリソースグループ内のみで、端末がリソースセット又はリソースを選択するように指示することができる。
【０３４５】
第５実施例−制御シグナリングリソースによってリソースグループを設定する方法
【０３４６】
次に、制御シグナリング（control signaling）のためのＤＬリソース位置（DL resource location）及び／又はフォーマット（format）を通じて、暗示的（implicit）に、リソースグループを指示する方法を説明する。
【０３４７】
具体的には、リソースセット又はリソース選択を動的に（dynamically）指示する制御情報が伝達されるＰＤＣＣＨ又はＰＤＳＣＨリソースの時間／周波数位置、フォーマット、及び／又は属性によって、ＣＳＩ報告のために用いられるリソースが設定されることができる。一例において、ＰＤＣＣＨは、上記情報がＤＣＩを通じて伝達されるケースに該当することができ、ＰＤＳＣＨは、上記制御情報がＭＡＣ−ＣＥを通じて伝達されるケースに該当することができる。
【０３４８】
この場合、時間リソース（例えば、スロット、サブフレーム、シンボルなど）を基準にリソースグループを予め設定した後、上記制御情報が伝達される特定時間リソースを通じてリソースグループを指示する方法が考慮されることができる。例えば、基地局がスロットインデックス（slot index）又はスロットセット（集合）（slot set）別にマッピングされるリソースグループを予め設定した後、ＤＣＩ又はＭＡＣ−ＣＥが伝達されたスロットインデックスを通じてリソースグループを（暗示的に）指示することができる。
【０３４９】
言い換えると、基地局が端末に各スロットインデックス又は各スロットセットに該当するリソースグループを上位層シグナリング（例えば、ＲＲＣシグナリング）を通じて予め設定し、特定スロットで、リソースセット又はリソース選択を指示する制御情報を伝達することができる。上記制御情報の伝達を受けた端末は、上記制御情報がどのスロットインデックス又はどのスロットセットを通じて伝達されたかを確認した後、該当位置を通じて暗示的に指示されるリソースグループを識別することができる。
【０３５０】
あるいは、周波数リソース（例えば、リソースブロックグループ（ＲＢＧ）、リソースブロック（ＲＢ）、サブキャリア（subcarrier）など）を基準にリソースグループを予め設定した後、上記制御情報が伝達される特定周波数リソースを通じてリソースグループを指示する方法が考慮されることもできる。例えば、基地局がＲＢＧ単位でリソースグループを予め設定した後、ＤＣＩ又はＭＡＣ−ＣＥが伝達されたリソースブロックグループ（ＲＢＧ）の位置を通じてリソースグループを（暗示的に）指示することができる。
【０３５１】
言い換えると、基地局が端末に各リソースブロックグループに該当するリソースグループを上位層シグナリング（例えば、ＲＲＣシグナリング）を通じて予め設定し、特定ＲＢＧで、リソースセット又はリソース選択を指示する制御情報を伝達することができる。上記制御情報の伝達を受けた端末は、上記制御情報がどのＲＢＧから伝達されたかを確認した後、該当位置を通じて暗示的に指示されるリソースグループを識別することができる。
【０３５２】
あるいは、上記制御情報のフォーマット（例えば、ＤＣＩフォーマット）及び／又は上記制御情報に対して設定されたサーチスペース（探索領域）（search space）（例えば、端末固有サーチスペース、セル固有サーチスペース）別にリソースグループを設定（又は、マッピング）する方法も考慮されることができる。この場合、端末は、基地局から受信した制御情報のフォーマット及び／又はサーチスペースを確認して、暗示的に指示されるリソースグループを識別することができる。
【０３５３】
また、前述した本発明の実施例は、各々独立して行われることもできるが、複数の実施例で説明される方式を共に適用してリソースグループを設定する方法も考慮されることができる。
【０３５４】
例えば、第１実施例で説明されたシステム上でサポートされるリソースと報告との組合せにより一次的に選択された候補リソース内で、第４実施例で説明された基地局の指示（すなわち、暗示的又は明示的シグナリング）を通じてリソースグループを指定する方法が考慮されることができる。
【０３５５】
他の例として、第１実施例、第２実施例、及び第３実施例で説明された方法を共に適用して、一次的にリソース設定パラメータ、測定設定パラメータ、及び／又は報告設定パラメータによるリソースグループ化が行われることができる。この後、第４実施例及び／又は第５実施例で説明された方法を適用して、ネットワーク（すなわち、基地局）の指示によって最終リソースグループが設定（又は、決定）されることができる。
【０３５６】
また、前述した暗示的又は明示的シグナリング情報は、シグナリングオーバーヘッド（signaling overhead）を減らすために、階層的シグナリング（hierarchical signaling）方式により伝達できる。ここで、階層的シグナリング方式は、最終シグナリングを行う層より上位層のメッセージを用いて候補群（例えば、candidate set）を指定することによって、最終シグナリングペイロード（signaling payload）を減らす方法を意味することができる。この際、階層的シグナリング方式には、２段階シグナリング又は３段階シグナリングが考慮されることができる。
【０３５７】
２段階シグナリングの一例において、基地局は、Ｌ３シグナリング（例えば、ＲＲＣシグナリング）を通じて候補群に対する設定情報（例えば、リソースグループ設定情報、ＣＳＩ設定情報）を端末に伝達し、Ｌ１又はＬ２シグナリング（例えば、ＭＡＣ−ＣＥ又はＤＣＩ）を通じて候補群内の特定候補（例えば、特定リソースグループ）を指示することができる。また、２段階シグナリングの他の例において、基地局は、Ｌ２シグナリング（例えば、ＭＡＣ−ＣＥ）を通じて候補群に対する設定情報（例えば、リソースグループ設定情報、ＣＳＩ設定情報）を端末に伝達し、Ｌ１シグナリング（例えば、ＤＣＩ）を通じて候補群内の特定候補（例えば、特定リソースグループ）を指示することもできる。
【０３５８】
また、３段階シグナリングの一例において、基地局は、Ｌ３シグナリング（例えば、ＲＲＣシグナリング）を通じて第１候補群に対する設定情報（例えば、リソースグループ設定情報、ＣＳＩ設定情報）を端末に伝達することができる。この後、基地局は、Ｌ２シグナリング（例えば、ＭＡＣ−ＣＥ）を通じて第１候補群内に設定された第２候補群（すなわち、第１候補群より候補の数が減少した候補群）に対する設定情報（例えば、サブリソースグループ設定情報）を端末に伝達することができる。最終的に、基地局は、Ｌ１シグナリング（例えば、ＤＣＩ）を通じて該当第２候補群内の特定候補（例えば、特定リソースグループ）を指示することができる。
【０３５９】
図１１は、本明細書で提案する方法が適用されることができるＣＳＩを報告する手続における端末動作のフローチャートを示す。図１１は、説明の便宜のためのものであり、本発明の範囲を制限するものではない。
【０３６０】
図１１を参照すると、該当端末は、ＣＳＩフレームワーク（CSI framework）に基づいてＣＳＩ測定及び報告を行い、Ｌ１又はＬ２シグナリングの制御オーバーヘッドを減らすために、特定リソースグループに属するリソースをＣＳＩ測定及び報告に関して考慮する場合が仮定される。
【０３６１】
ステップＳ１１０５で、端末は、基地局から、ＣＳＩ報告手続と関連するＣＳＩ設定情報（CSI configuration information）を受信することができる。ここで、上記ＣＳＩ設定情報は、前述したＣＳＩフレームワークに対する設定情報を意味することができる。すなわち、図９に示したように、上記ＣＳＩ設定情報は、一つ又は複数の測定設定（measurement setting）を示す情報、複数の報告設定（reporting setting）を示す情報、複数のリソース設定（resource setting）を示す情報を含むことができる。
【０３６２】
例えば、端末は、基地局から、ＣＳＩ測定及び報告と関連する一つの測定設定（Ｌ個のリンクに対する設定を含む）、Ｍ個のリソース設定、及びＮ個の報告設定に対する設定情報を、ＲＲＣシグナリングを通じて受信することができる。
【０３６３】
ステップＳ１１１０で、端末は、上記基地局から、上記複数の報告設定のうちの少なくとも一つの報告設定を指示する報告情報を受信することができる。言い換えると、前述したように、基地局は、端末に対して、上記報告情報を通じて少なくとも一つの報告設定をトリガ、活性化、又は不活性化することができる。一例において、上記報告情報は、Ｌ１シグナリング（例えば、ＤＣＩ）又はＬ２シグナリング（例えば、ＭＡＣ−ＣＥ）のうちのいずれか一つを通じて伝達されることができる。
【０３６４】
ステップＳ１１１５で、端末は、上記少なくとも一つの報告設定と関連する特定リソースグループ内に属する少なくとも一つのリソースセット又は少なくとも一つのリソースを指示するリソース情報を受信することができる。言い換えると、前述した方法のように、基地局は、端末が上記少なくとも一つの報告設定と関連する特定リソースグループ内のみでＣＳＩ測定及び報告のためのリソースを選択するように指示することができる。一例において、上記リソース情報は、Ｌ１シグナリング（例えば、ＤＣＩ）又はＬ２シグナリング（例えば、ＭＡＣ−ＣＥ）のうちのいずれか一つを通じて伝達されることができる。
【０３６５】
ここで、上記特定リソースグループは、上記複数のリソース設定内で、上記少なくとも一つの報告設定に対して設定された時間領域上の動作モード（例えば、非周期的ＣＳＩ報告、周期的ＣＳＩ報告、セミパーシステントＣＳＩ報告など）によって設定されることができる。すなわち、前述したように、複数のリソース設定内に含まれたリソース（又は、リソースセット）は、非周期的ＣＳＩ報告に該当するリソースグループ、周期的ＣＳＩ報告に該当するリソースグループ、及び／又はセミパーシステントＣＳＩ報告に該当するリソースグループに分類されることができる。
【０３６６】
この際、ステップＳ１１１０とステップＳ１１１５とは、同時に（simultaneously）行われることもできる。すなわち、上記報告情報と上記リソース情報とが一つのメッセージ（例えば、ＤＣＩ、ＭＡＣ−ＣＥ）を通じて伝達されることもできる。
【０３６７】
また、前述したように、上記特定リソースグループは、上記複数の報告設定と上記複数のリソース設定とを組み合せて設定されたリソースグループのうちの一つでありうる。具体的には、前述した本発明の実施例に従うとき、上記リソースグループは、各報告設定に対して設定された時間領域上の動作モードと各リソース設定に対して設定された時間領域上の動作モードとの間の組合せに基づいて設定されることができる。
【０３６８】
また、前述したように、上記特定リソースグループに属する上記少なくとも一つのリソースセットのインデックス又は上記少なくとも一つのリソースのインデックスは、上記特定リソースグループ内で番号が付け直される（すなわち、再インデクシングする（re-indexing））ことができる。
【０３６９】
また、上記基地局が上記ＣＳＩの報告のための非周期的リソース（aperiodic resource）をトリガするように設定された場合、上記特定リソースグループは、上記複数のリソース設定のうち、上記非周期的ＣＳＩ報告のために予め設定された少なくとも一つのリソース設定を含むことができる。ここで、上記非周期的ＣＳＩ報告のために予め設定された少なくとも一つのリソース設定は、上記非周期的ＣＳＩ報告のために予め設定された少なくとも一つのリソースセット又はリソースを含むことができる。これとは異なり、上記基地局が上記ＣＳＩの報告のためのセミパーシステントリソース（semi-persistent resource）を活性化又は不活性化するように設定された場合、上記特定リソースグループは、上記複数のリソース設定に含まれた上記非周期的ＣＳＩ報告のための少なくとも一つのリソース設定又は上記セミパーシステントＣＳＩ報告のための少なくとも一つのリソース設定のうちの少なくとも一つを含むことができる。
【０３７０】
また、上記特定リソースグループは、上記複数のリソース設定の各々に対する属性パラメータを追加的に考慮して設定されることができる。例えば、第２実施例で説明されたように、特定リソースグループは、該当リソース（又は、リソース設定、リソースセット）のタイプ、特性、及び／又は用途などを考慮して設定されることができる。
【０３７１】
また、上記特定リソースグループは、報告設定とリソース設定との間のリンクの用途（例えば、チャネル測定用、干渉測定用、レートマッチング用など）を示すパラメータを追加的に考慮して設定されることができる。この際、上記リンクの用途を示すパラメータは、上記一つ又は複数の測定設定に含まれることができる。
【０３７２】
本発明が適用されることができる装置一般
【０３７３】
図１２は、本発明の一実施例に係る無線通信装置のブロック構成図を例示する。
【０３７４】
図１２を参照すると、無線通信システムは、基地局（又はネットワーク）１２１０と、端末１２２０と、を含む。
【０３７５】
基地局１２１０は、プロセッサ（processor）１２１１、メモリ（memory）１２１２、及び通信モジュール（communication module）１２１３を含む。
【０３７６】
プロセッサ１２１１は、上記図１乃至図１１で提案された機能、過程及び／又は方法を具現する。有／無線インターフェースプロトコルの層は、プロセッサ１２１１によって具現できる。メモリ１２１２は、プロセッサ１２１１と接続されて、プロセッサ１２１１を駆動するための様々な情報を記憶する。通信モジュール１２１３は、プロセッサ１２１１と接続され、有／無線信号を送信及び／又は受信する。
【０３７７】
上記通信モジュール１２１３は、無線信号を送／受信するためのＲＦ部（Radio Frequency unit）を含み得る。
【０３７８】
端末１２２０は、プロセッサ１２２１、メモリ１２２２及び通信モジュール（又はＲＦ部）１２２３を含む。プロセッサ１２２１は、上記図１乃至図１１で提案された機能、過程及び／又は方法を具現する。無線インターフェースプロトコルの層は、プロセッサ１２２１によって具現できる。メモリ１２２２は、プロセッサ１２２１と接続され、プロセッサ１２２１を駆動するための様々な情報を記憶する。通信モジュール１２２３は、プロセッサ１２２１と接続されて、無線信号を送信及び／又は受信する。
【０３７９】
メモリ１２１２、１２２２は、プロセッサ１２１１、１２２１の内部又は外部にあってもよく、よく知られている様々な手段でプロセッサ１２１１、１２２１と接続されてもよい。
【０３８０】
また、基地局１２１０及び／又は端末１２２０は、一つのアンテナ（single antenna）又はマルチ（多重）アンテナ（multiple antenna）を有し得る。
【０３８１】
図１３は、本発明の一実施例に係る通信装置のブロック構成図を例示する。
【０３８２】
特に、図１３は、上記図１２の端末をより詳細に例示する図である。
【０３８３】
図１３を参照すると、端末は、プロセッサ（又はデジタル信号プロセッサ（ＤＳＰ：Digital Signal Processor）１３１０、ＲＦモジュール（RF module）（又はＲＦユニット）１３３５、電力（パワー）管理モジュール（power management module）１３０５、アンテナ（antenna）１３４０、バッテリ（battery）１３５５、ディスプレイ（display）１３１５、キーパッド（keypad）１３２０、メモリ（memory）１３３０、ＳＩＭカード（SIM(Subscriber Identification Module) card）１３２５（この構成はオプション（選択的）である（optional））、スピーカ（speaker）１３４５、及びマイクロフォン（microphone）１３５０を含んで構成され得る。端末は、また、単一のアンテナ又はマルチアンテナを含み得る。
【０３８４】
プロセッサ１３１０は、上記図１乃至図１１で提案された機能、過程及び／又は方法を具現する。無線インターフェースプロトコルの層は、プロセッサ１３１０によって具現されることができる。
【０３８５】
メモリ１３３０は、プロセッサ１３１０と接続され、プロセッサ１３１０の動作と関連する情報を記憶する。メモリ１３３０は、プロセッサ１３１０の内部又は外部にあってもよく、よく知られている様々な手段でプロセッサ１３１０と接続されてもよい。
【０３８６】
ユーザは、例えば、キーパッド１３２０のボタンを押すか（若しくはタッチするか）、又はマイクロフォン１３５０を用いた音声駆動（voice activation）によって、電話番号などの命令情報を入力する。プロセッサ１３１０は、このような命令情報を受信し、電話番号に電話をかけるなど、適切な機能を行うように処理する。駆動上のデータ（operational data）は、ＳＩＭカード１３２５又はメモリ１３３０から抽出することができる。また、プロセッサ１３１０は、ユーザが認知し、また便宜のために、命令情報又は駆動情報をディスプレイ１３１５上に表示し得る。
【０３８７】
ＲＦモジュール１３３５は、プロセッサ１３１０に接続されて、ＲＦ信号を送信及び／又は受信する。プロセッサ１３１０は、通信を開始するために、例えば、音声通信データを構成する無線信号を送信するように命令情報をＲＦモジュール１３３５に伝達する。ＲＦモジュール１３３５は、無線信号を受信及び送信するために受信器（機）（receiver）及び送信器（機）（transmitter）で構成される。アンテナ１３４０は、無線信号を送信及び受信する機能を果たす。無線信号を受信したとき、ＲＦモジュール１３３５は、プロセッサ１３１０によって処理するために信号を伝達して、ベースバンドに信号を変換し得る。処理された信号は、スピーカ１３４５を介して出力される可聴又は可読情報に変換され得る。
【０３８８】
以上で説明された実施例は、本発明の構成要素と特徴とが所定の形態で結合され（組み合せられ）たものである。各構成要素又は特徴は、別途の明示的な言及がない限り、選択的なものとして考慮されなければならない。各構成要素又は特徴は、他の構成要素や特徴と結合されない形態で実施できる。また、一部の構成要素及び／又は特徴を結合して本発明の実施例を構成することも可能である。本発明の実施例で説明される動作の順序は、変更可能である。ある実施例の一部の構成や特徴は、他の実施例に含まれることができ、又は他の実施例の対応する構成又は特徴と置き換えられることができる。特許請求の範囲で明示的な引用関係がない請求項を結合して実施例を構成するか、又は出願後の補正により新たな請求項に含めることができることは、自明である。
【０３８９】
本発明に従う実施例は、多様な手段、例えば、ハードウェア、ファームウエア（firmware）、ソフトウェア、又はそれらの結合などにより具現できる。ハードウェアによる具現の場合、本発明の一実施例は、１つ又は複数のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどにより具現できる。
【０３９０】
ファームウエアやソフトウェアによる具現の場合、本発明の一実施例は、以上で説明された機能又は動作を行うモジュール、手続、関数などの形態で具現できる。ソフトウェアコードは、メモリに記憶されてプロセッサにより駆動されることができる。上記メモリは、上記プロセッサの内部又は外部に位置し、既に公知の多様な手段により上記プロセッサとデータをやり取りすることができる。
【０３９１】
本発明は、本発明に必須の特徴を逸脱しない範囲で他の特定の形態で具体化できることは、通常の技術者にとって自明である。したがって、前述した詳細な説明は、全ての面で制限的に解釈されてはならず、例示的なものとして考慮されなければならない。本発明の範囲は、添付した請求項の合理的な解釈により決定されなければならず、本発明の等価的な範囲内における全ての変更は、本発明の範囲に含まれる。
【産業上の利用可能性】
【０３９２】
本発明の無線通信システムにおけるチャネル状態情報を測定及び報告する方法は、３ＧＰＰ  ＬＴＥ／ＬＴＥ−Ａシステム、５Ｇに適用される例を中心に説明したが、その他にも多様な無線通信システムに適用可能である。
【図１】
0006924272.tif 000045
【図２】
0006924272.tif 000046
【図３】
0006924272.tif 000047
【図４】
0006924272.tif 000048
【図５】
0006924272.tif 000049
【図６（ａ）】
0006924272.tif 000050
【図６（ｂ）】
0006924272.tif 000051
【図７】
0006924272.tif 000052
【図８】
0006924272.tif 000053
【図９】
0006924272.tif 000054
【図１０ａ】
0006924272.tif 000055
【図１０ｂ】
0006924272.tif 000056
【図１１】
0006924272.tif 000057
【図１２】
0006924272.tif 000058
【図１３】
0006924272.tif 000059